(57)【特許請求の範囲】
【請求項１】
通信ネットワークを介して複数のユーザが使用する複数のユーザ端末からそれぞれ情報を受け付けて一つの物語を作成する物語作成システムであって、
前記物語の複数のテーマについての物語テーマ情報が記憶されている物語テーマ情報記憶部と、
各テーマの各物語を構成するあらかじめ定められている順序で並べられている複数の物語パートそれぞれについての物語パート情報であって、前記ユーザが各物語パートに対してユーザ作成文字情報及び／又はユーザ作成図形情報を追加・付加する際の発想の契機となるサジェスチョン文字情報及び／又はサジェスチョン図形情報を前記物語パートごとに含んでいる複数の物語パート情報が、前記各テーマの各物語の前記物語パートごとに記憶されている物語パート情報記憶部と、
前記各物語パートに対して、前記サジェスチョン文字情報及び／又はサジェスチョン図形情報を参照して前記ユーザが入力した前記ユーザ作成文字情報及び／又はユーザ作成図形情報が追加・付加されているユーザ作成情報追加・付加済物語パート情報が、前記各テーマの各物語の前記物語パートごとに記憶されているユーザ作成情報追加・付加済物語パート情報記憶部と、
アクセスしてきたユーザ端末に対して前記物語テーマ情報記憶部に記憶されている前記物語の複数のテーマの中から一つのテーマを選択するように促すテーマ選択指示処理部と、
前記物語パート情報記憶部に記憶されている選択された前記一つのテーマの物語を構成するあらかじめ定められている順序で並べられている前記複数の物語パート情報の中から、前記ユーザが前記ユーザ作成文字情報及び／又はユーザ作成図形情報の入力を行うことを希望する一つの物語パートを選択するようにアクセスしてきた前記ユーザ端末に対して促す物語パート選択指示処理部と、
前記選択した物語パートに対して前記ユーザが前記ユーザ作成文字情報及び／又はユーザ作成図形情報を追加・付加したユーザ作成情報追加・付加済物語パート情報を取得した際に、前記ユーザ作成情報追加・付加済物語パート情報記憶部に記憶するユーザ作成情報追加・付加済物語パート情報登録処理部と、
一のユーザのユーザ作成情報追加・付加済物語パート情報を取得した際に、前記一のユーザが選択した物語パートに連続する前及び／又は後ろの物語パートについて、前記ユーザ作成情報追加・付加済物語パート情報記憶部に記憶されている複数の他のユーザのユーザ作成情報追加・付加済物語パート情報の中から一つのユーザ作成情報追加・付加済物語パート情報を任意に選択・抽出し、前記取得した前記一のユーザのユーザ作成情報追加・付加済物語パート情報の前及び／又は後ろに前記あらかじめ定められている順序で並べて前記一のユーザが選択した前記一つのテーマの物語を構成して表示する第一の物語表示処理部と、
を備えている物語作成システム。
【請求項２】
通信ネットワークを介して複数のユーザが使用する複数のユーザ端末からそれぞれ情報を受け付けて一つの物語を作成する物語作成システムであって、
前記物語の複数のテーマについての物語テーマ情報が記憶されている物語テーマ情報記憶部と、
各テーマの各物語を構成するあらかじめ定められている順序で並べられている複数の物語パートそれぞれについての物語パート情報であって、前記ユーザが各物語パートに対してユーザ作成文字情報及び／又はユーザ作成図形情報を追加・付加する際の発想の契機となるサジェスチョン文字情報及び／又はサジェスチョン図形情報を前記物語パートごとに含んでいる複数の物語パート情報が、前記各テーマの各物語の前記物語パートごとに記憶されている物語パート情報記憶部と、
前記各物語パートに対して、前記サジェスチョン文字情報及び／又はサジェスチョン図形情報を参照して前記ユーザが入力した前記ユーザ作成文字情報及び／又はユーザ作成図形情報が追加・付加されているユーザ作成情報追加・付加済物語パート情報が、前記各テーマの各物語の前記物語パートごとに記憶されているユーザ作成情報追加・付加済物語パート情報記憶部と、
アクセスしてきたユーザ端末に対して前記物語テーマ情報記憶部に記憶されている前記物語の複数のテーマの中から一つのテーマを選択するように促すテーマ選択指示処理部と、
前記物語パート情報記憶部に記憶されている選択された前記一つのテーマの物語を構成するあらかじめ定められている順序で並べられている前記複数の物語パート情報の中から、前記ユーザが前記ユーザ作成文字情報及び／又はユーザ作成図形情報の入力を行うことを希望する一つの物語パートを選択するようにアクセスしてきた前記ユーザ端末に対して促す物語パート選択指示処理部と、
前記選択した物語パートに対して前記ユーザが前記ユーザ作成文字情報及び／又はユーザ作成図形情報を追加・付加したユーザ作成情報追加・付加済物語パート情報を取得した際に、前記ユーザ作成情報追加・付加済物語パート情報記憶部に記憶するユーザ作成情報追加・付加済物語パート情報登録処理部と、
アクセスしてきた一のユーザが使用するユーザ端末に対して、選択された前記一つのテーマの物語を構成する前記複数の物語パートについて前記ユーザ作成情報追加・付加済物語パート情報記憶部に記憶されている複数の他のユーザのユーザ作成情報追加・付加済物語パート情報を提示して、前記複数の物語パートの中の少なくとも一つ以上の物語パートについて、前記複数の他のユーザのユーザ作成情報追加・付加済物語パート情報の中から一つを選択するように促す第一のユーザ作成情報追加・付加済物語パート情報選択指示処理部と、
前記ユーザ作成情報追加・付加済物語パート情報の選択が行われなかった物語パートについて、前記ユーザ作成情報追加・付加済物語パート情報記憶部に記憶されている前記複数の他のユーザのユーザ作成情報追加・付加済物語パート情報の中から一つのユーザ作成情報追加・付加済物語パート情報を任意に選択・抽出する第一のユーザ作成情報追加・付加済物語パート情報抽出・選択処理部と、
前記一のユーザが選択した前記他のユーザのユーザ作成情報追加・付加済物語パート情報と、前記第一のユーザ作成情報追加・付加済物語パート情報抽出・選択処理部が選択・抽出した前記他のユーザのユーザ作成情報追加・付加済物語パート情報とを、前記あらかじめ定められている順序で並べて前記一のユーザが選択した前記一つのテーマの物語を構成して表示する第二の物語表示処理部と、
を備えている物語作成システム。
【請求項３】
通信ネットワークを介して複数のユーザが使用する複数のユーザ端末からそれぞれ情報を受け付けて一つの物語を作成する物語作成システムであって、
前記物語の複数のテーマについての物語テーマ情報が記憶されている物語テーマ情報記憶部と、
各テーマの各物語を構成するあらかじめ定められている順序で並べられている複数の物語パートそれぞれについての物語パート情報であって、前記ユーザが各物語パートに対してユーザ作成文字情報及び／又はユーザ作成図形情報を追加・付加する際の発想の契機となるサジェスチョン文字情報及び／又はサジェスチョン図形情報を前記物語パートごとに含んでいる複数の物語パート情報が、前記各テーマの各物語の前記物語パートごとに記憶されている物語パート情報記憶部と、
前記各物語パートに対して、前記サジェスチョン文字情報及び／又はサジェスチョン図形情報を参照して前記ユーザが入力した前記ユーザ作成文字情報及び／又はユーザ作成図形情報が追加・付加されているユーザ作成情報追加・付加済物語パート情報が、前記各テーマの各物語の前記物語パートごとに記憶されているユーザ作成情報追加・付加済物語パート情報記憶部と、
アクセスしてきたユーザ端末に対して前記物語テーマ情報記憶部に記憶されている前記物語の複数のテーマの中から一つのテーマを選択するように促すテーマ選択指示処理部と、
前記物語パート情報記憶部に記憶されている選択された前記一つのテーマの物語を構成するあらかじめ定められている順序で並べられている前記複数の物語パート情報の中から、前記ユーザが前記ユーザ作成文字情報及び／又はユーザ作成図形情報の入力を行うことを希望する一つの物語パートを選択するようにアクセスしてきた前記ユーザ端末に対して促す物語パート選択指示処理部と、
前記選択した物語パートに対して前記ユーザが前記ユーザ作成文字情報及び／又はユーザ作成図形情報を追加・付加したユーザ作成情報追加・付加済物語パート情報を取得した際に、前記ユーザ作成情報追加・付加済物語パート情報記憶部に記憶するユーザ作成情報追加・付加済物語パート情報登録処理部と、
アクセスしてきた一のユーザが使用するユーザ端末に対して、選択された前記一つのテーマの物語を構成する前記複数の物語パートについて前記ユーザ作成情報追加・付加済物語パート情報記憶部に記憶されている複数の他のユーザのユーザ作成情報追加・付加済物語パート情報を提示して、前記複数の物語パートの中の少なくとも一つ以上の物語パートについて、前記複数の他のユーザのユーザ作成情報追加・付加済物語パート情報の中から一つを選択するように促す第一のユーザ作成情報追加・付加済物語パート情報選択指示処理部と、
前記ユーザ作成情報追加・付加済物語パート情報の選択が行われなかった前記複数の物語パートの中の他の少なくとも一つの物語パートに対して、前記サジェスチョン文字情報及び／又はサジェスチョン図形情報を参照して前記ユーザ作成文字情報及び／又はユーザ作成図形情報を追加・付加するように前記アクセスしてきた前記一のユーザのユーザ端末に対して促す第一のユーザ作成情報追加・付加指示処理部と、
前記ユーザ作成情報追加・付加済物語パート情報の選択が行われなかった物語パートであって、なおかつ、前記ユーザ作成文字情報及び／又はユーザ作成図形情報の追加・付加が行われない物語パートについて、前記ユーザ作成情報追加・付加済物語パート情報記憶部に記憶されている前記複数の他のユーザのユーザ作成情報追加・付加済物語パート情報の中から一つのユーザ作成情報追加・付加済物語パート情報を任意に選択・抽出する第二のユーザ作成情報追加・付加済物語パート情報抽出・選択処理部と、
前記一のユーザが選択した前記他のユーザのユーザ作成情報追加・付加済物語パート情報と、前記ユーザ作成文字情報及び／又はユーザ作成図形情報の追加・付加が行われた前記一のユーザのユーザ作成情報追加・付加済物語パート情報と、前記第二のユーザ作成情報追加・付加済物語パート情報抽出・選択処理部が選択・抽出した前記他のユーザのユーザ作成情報追加・付加済物語パート情報とを、前記あらかじめ定められている順序で並べて前記一のユーザが選択した前記一つのテーマの物語を構成して表示する第三の物語表示処理部と、
を備えている物語作成システム。
【請求項４】
通信ネットワークを介して複数のユーザが使用する複数のユーザ端末からそれぞれ情報を受け付けて一つの物語を作成する物語作成システムであって、
前記物語の複数のテーマについての物語テーマ情報が記憶されている物語テーマ情報記憶部と、
各テーマの各物語を構成するあらかじめ定められている順序で並べられている複数の物語パートそれぞれについての物語パート情報であって、前記ユーザが各物語パートに対してユーザ作成文字情報及び／又はユーザ作成図形情報を追加・付加する際の発想の契機となるサジェスチョン文字情報及び／又はサジェスチョン図形情報を前記物語パートごとに含んでいる複数の物語パート情報が、前記各テーマの各物語の前記物語パートごとに記憶されている物語パート情報記憶部と、
前記各物語パートに対して、前記サジェスチョン文字情報及び／又はサジェスチョン図形情報を参照して前記ユーザが入力した前記ユーザ作成文字情報及び／又はユーザ作成図形情報が追加・付加されているユーザ作成情報追加・付加済物語パート情報が、前記各テーマの各物語の前記物語パートごとに記憶されているユーザ作成情報追加・付加済物語パート情報記憶部と、
アクセスしてきたユーザ端末に対して前記物語テーマ情報記憶部に記憶されている前記物語の複数のテーマの中から一つのテーマを選択するように促すテーマ選択指示処理部と、
前記物語パート情報記憶部に記憶されている選択された前記一つのテーマの物語を構成するあらかじめ定められている順序で並べられている前記複数の物語パート情報の中から、前記ユーザが前記ユーザ作成文字情報及び／又はユーザ作成図形情報の入力を行うことを希望する一つの物語パートを選択するようにアクセスしてきた前記ユーザ端末に対して促す物語パート選択指示処理部と、
前記選択した物語パートに対して前記ユーザが前記ユーザ作成文字情報及び／又はユーザ作成図形情報を追加・付加したユーザ作成情報追加・付加済物語パート情報を取得した際に、前記ユーザ作成情報追加・付加済物語パート情報記憶部に記憶するユーザ作成情報追加・付加済物語パート情報登録処理部と、
アクセスしてきた一のユーザが使用するユーザ端末に対して、前記複数の物語パートの中の少なくとも一つの物語パートに対して、前記サジェスチョン文字情報及び／又はサジェスチョン図形情報を参照して前記ユーザ作成文字情報及び／又はユーザ作成図形情報を追加・付加するように促す第二のユーザ作成情報追加・付加指示処理部と、
前記ユーザ作成文字情報及び／又はユーザ作成図形情報の追加・付加が行われなかった前記複数の物語パートの中の他の全ての物語パートについて、前記ユーザ作成情報追加・付加済物語パート情報記憶部に記憶されている複数の他のユーザのユーザ作成情報追加・付加済物語パート情報を提示して、前記複数の他のユーザのユーザ作成情報追加・付加済物語パート情報の中から一つを選択するように前記アクセスしてきた前記一のユーザのユーザ端末に対して促す第二のユーザ作成情報追加・付加済物語パート情報選択指示処理部と、
前記一のユーザが選択した前記他のユーザのユーザ作成情報追加・付加済物語パート情報と、前記ユーザ作成文字情報及び／又はユーザ作成図形情報の追加・付加が行われた前記一のユーザのユーザ作成情報追加・付加済物語パート情報とを前記あらかじめ定められている順序で並べて前記一のユーザが選択した前記一つのテーマの物語を構成して表示する第四の物語表示処理部と、
を備えている物語作成システム。
【請求項５】
通信ネットワークを介して複数のユーザが使用する複数のユーザ端末からそれぞれ情報を受け付けて一つの物語を作成する物語作成システムであって、
前記物語の複数のテーマについての物語テーマ情報が記憶されている物語テーマ情報記憶部と、
各テーマの各物語を構成するあらかじめ定められている順序で並べられている複数の物語パートそれぞれについての物語パート情報であって、前記ユーザが各物語パートに対してユーザ作成文字情報及び／又はユーザ作成図形情報を追加・付加する際の発想の契機となるサジェスチョン文字情報及び／又はサジェスチョン図形情報を前記物語パートごとに含んでいる複数の物語パート情報が、前記各テーマの各物語の前記物語パートごとに記憶されている物語パート情報記憶部と、
前記各物語パートに対して、前記サジェスチョン文字情報及び／又はサジェスチョン図形情報を参照して前記ユーザが入力した前記ユーザ作成文字情報及び／又はユーザ作成図形情報が追加・付加されているユーザ作成情報追加・付加済物語パート情報が、前記各テーマの各物語の前記物語パートごとに記憶されているユーザ作成情報追加・付加済物語パート情報記憶部と、
アクセスしてきたユーザ端末に対して前記物語テーマ情報記憶部に記憶されている前記物語の複数のテーマの中から一つのテーマを選択するように促すテーマ選択指示処理部と、
前記物語パート情報記憶部に記憶されている選択された前記一つのテーマの物語を構成するあらかじめ定められている順序で並べられている前記複数の物語パート情報の中から、前記ユーザが前記ユーザ作成文字情報及び／又はユーザ作成図形情報の入力を行うことを希望する一つの物語パートを選択するようにアクセスしてきた前記ユーザ端末に対して促す物語パート選択指示処理部と、
前記選択した物語パートに対して前記ユーザが前記ユーザ作成文字情報及び／又はユーザ作成図形情報を追加・付加したユーザ作成情報追加・付加済物語パート情報を取得した際に、前記ユーザ作成情報追加・付加済物語パート情報記憶部に記憶するユーザ作成情報追加・付加済物語パート情報登録処理部と、
アクセスしてきた一のユーザが使用するユーザ端末に対して、選択された前記一つのテーマの物語を構成する前記複数の物語パートそれぞれについて、前記ユーザ作成情報追加・付加済物語パート情報記憶部に記憶されている複数の他のユーザのユーザ作成情報追加・付加済物語パート情報を提示して、前記複数の他のユーザのユーザ作成情報追加・付加済物語パート情報の中から一つを選択するように促す第三のユーザ作成情報追加・付加済物語パート情報選択指示処理部と、
前記一のユーザが選択した前記各物語パートについての前記他のユーザのユーザ作成情報追加・付加済物語パート情報を前記あらかじめ定められている順序で並べて前記一のユーザが選択した前記一つのテーマの物語を構成して表示する第五の物語表示処理部と、
を備えている物語作成システム。
【請求項６】
前記物語パート情報には、前記複数の物語パートのうち、一部の物語パートに対して事業者が予め入力した事業者作成文字情報及び／又は事業者作成図形情報が追加・付加された事業者作成情報追加・付加済物語パート情報が含まれており、
前記第一の物語表示処理部は、前記一のユーザのユーザ作成情報追加・付加済物語パート情報を取得した際に、前記取得した一のユーザのユーザ作成情報追加・付加済物語パート情報と、前記選択・抽出した前記他のユーザのユーザ作成情報追加・付加済物語パート情報と、前記事業者によって前記事業者作成文字情報及び／又は事業者作成図形情報が追加・付加された事業者作成情報追加・付加済物語パート情報とを、前記あらかじめ定められている順序で並べて前記一のユーザが選択した前記一つのテーマの物語を構成して表示する
請求項１記載の物語作成システム。
【請求項７】
前記第一の物語表示処理部は、前記一のユーザのユーザ作成情報追加・付加済物語パート情報を取得した際に、前記一のユーザが選択した物語テーマ及び物語パート、前記一のユーザのユーザ作成情報追加・付加済物語パート情報に含まれる前記ユーザ作成文字情報及び／又はユーザ作成図形情報の属性を分析し、前記一のユーザが選択した物語パートに連続する前及び／又は後ろの物語パートについて前記ユーザ作成情報追加・付加済物語パート情報記憶部に記憶されている前記複数の他のユーザのユーザ作成情報追加・付加済物語パート情報の中から、前記属性を分析した物語テーマ及び物語パート、前記一のユーザのユーザ作成情報追加・付加済物語パート情報に含まれる前記ユーザ作成文字情報及び／又はユーザ作成図形情報と異なる属性を有する一つの他のユーザのユーザ作成情報追加・付加済物語パート情報を選択・抽出する処理を行う
請求項１記載の物語作成システム。
【請求項８】
前記各物語パートに対して前記サジェスチョン文字情報及び／又はサジェスチョン図形情報を参照して前記一のユーザが入力したユーザ作成文字情報の言語と、前記選択・抽出された他のユーザのユーザ作成情報追加・付加済物語パート情報に含まれているユーザ作成文字情報の言語の種別を判別する言語種別判別部と、
前記選択・抽出された他のユーザのユーザ作成情報追加・付加済物語パート情報に含まれている前記ユーザ作成文字情報の言語が、前記一のユーザが入力した前記ユーザ作成文字情報の言語と異なる場合、前記他のユーザが入力した前記ユーザ作成文字情報の言語を前記一のユーザが入力した前記ユーザ作成文字情報の言語に変換する言語変換部と、を備えている
請求項１記載の物語作成システム。
【請求項９】
前記サジェスチョン文字情報及び／又はサジェスチョン図形情報は、前記物語パートごとに複数含まれており、
前記物語パート選択指示処理部の指示に基づいて前記ユーザが選択した前記物語パートに含まれている前記複数のサジェスチョン文字情報及び／又はサジェスチョン図形情報の中から、前記ユーザが選択した前記物語パートに対して前記ユーザ作成文字情報及び／又はユーザ作成図形情報を追加・付加する際の発想の契機とするべく参照する一つのサジェスチョン文字情報及び／又はサジェスチョン図形情報を選択するようにアクセスしてきた前記ユーザ端末に対して促すサジェスチョン情報選択指示処理部を備えている
請求項１記載の物語作成システム。
【請求項１０】
前記物語は漫画である
請求項１乃至９の何れか一項に記載の物語作成システム。
【請求項１１】
前記漫画の前記物語パートの数は四つ以内である
請求項１０記載の物語作成システム。
【請求項１２】
前記構成して表示された物語を評価するための複数の評価項目情報を表示し、前記表示された複数の評価項目情報の中から一つの評価項目情報が選択された際に、当該選択された評価項目情報を前記ユーザ端末の表示部に所定の軌跡で表示する評価項目情報作成・表示処理部を備えている
請求項１乃至１１の何れか一項に記載の物語作成システム。
【発明の詳細な説明】
【技術分野】
【０００１】
この発明は、漫画、小説などの物語を作成するシステムに関する。
【背景技術】
【０００２】
従来、物語の作成を複数人で行う物語作成システムとして、例えば特許文献１には、原作、ネーム、作画、キャラクター、等の作成を得意とする者を募集し、応募をしてきたユーザに、当該ユーザが得意とする分野の作業を担当させて漫画を作成する漫画作成システムが提案されている。
【先行技術文献】
【特許文献】
【０００３】
【特許文献１】特開２０１５−２１９９０５号公報
【発明の概要】
【発明が解決しようとする課題】
【０００４】
上記特許文献１で提案されている漫画作成システムを含む従来の物語作成システムでは、作成される物語のストーリー展開が決められているので、読者が望むストーリー展開や読者の予想もしなかったストーリー展開となる物語を希望するユーザの要求に十分応えられていなかった。
【０００５】
この発明は、予期せぬ意外性をもったストーリー展開の物語を複数のユーザで作成する物語作成システムを提供することを目的とする。
【課題を解決するための手段】
【０００６】
請求項１の発明は、
通信ネットワークを介して複数のユーザが使用する複数のユーザ端末からそれぞれ情報を受け付けて一つの物語を作成する物語作成システムであって、
前記物語の複数のテーマについての物語テーマ情報が記憶されている物語テーマ情報記憶部と、
各テーマの各物語を構成するあらかじめ定められている順序で並べられている複数の物語パートそれぞれについての物語パート情報であって、前記ユーザが各物語パートに対してユーザ作成文字情報及び／又はユーザ作成図形情報を追加・付加する際の発想の契機となるサジェスチョン文字情報及び／又はサジェスチョン図形情報を前記物語パートごとに含んでいる複数の物語パート情報が、前記各テーマの各物語の前記物語パートごとに記憶されている物語パート情報記憶部と、
前記各物語パートに対して、前記サジェスチョン文字情報及び／又はサジェスチョン図形情報を参照して前記ユーザが入力した前記ユーザ作成文字情報及び／又はユーザ作成図形情報が追加・付加されているユーザ作成情報追加・付加済物語パート情報が、前記各テーマの各物語の前記物語パートごとに記憶されているユーザ作成情報追加・付加済物語パート情報記憶部と、
アクセスしてきたユーザ端末に対して前記物語テーマ情報記憶部に記憶されている前記物語の複数のテーマの中から一つのテーマを選択するように促すテーマ選択指示処理部と、
前記物語パート情報記憶部に記憶されている選択された前記一つのテーマの物語を構成するあらかじめ定められている順序で並べられている前記複数の物語パート情報の中から、前記ユーザが前記ユーザ作成文字情報及び／又はユーザ作成図形情報の入力を行うことを希望する一つの物語パートを選択するようにアクセスしてきた前記ユーザ端末に対して促す物語パート選択指示処理部と、
前記選択した物語パートに対して前記ユーザが前記ユーザ作成文字情報及び／又はユーザ作成図形情報を追加・付加したユーザ作成情報追加・付加済物語パート情報を取得した際に、前記ユーザ作成情報追加・付加済物語パート情報記憶部に記憶するユーザ作成情報追加・付加済物語パート情報登録処理部と、
一のユーザのユーザ作成情報追加・付加済物語パート情報を取得した際に、前記一のユーザが選択した物語パートに連続する前及び／又は後ろの物語パートについて、前記ユーザ作成情報追加・付加済物語パート情報記憶部に記憶されている複数の他のユーザのユーザ作成情報追加・付加済物語パート情報の中から一つのユーザ作成情報追加・付加済物語パート情報を任意に選択・抽出し、前記取得した前記一のユーザのユーザ作成情報追加・付加済物語パート情報の前及び／又は後ろに前記あらかじめ定められている順序で並べて前記一のユーザが選択した前記一つのテーマの物語を構成して表示する第一の物語表示処理部と、
を備えている物語作成システム
である。
【発明の効果】
【０００７】
この発明によれば、予期せぬ意外性をもったストーリー展開の物語を複数のユーザで作成する物語作成システムを提供することができる。
【図面の簡単な説明】
【０００８】
【図１】本発明の物語作成システムの構成の一例を表す図である。
【図２】本発明の物語作成システムが備えるサーバ装置の構成の一例を表す図である。
【図３】サーバ装置の記憶部に記憶されているユーザ情報の一例を表す図である。
【図４】（ａ）、（ｂ）共にサーバ装置の記憶部に記憶されている物語テーマ情報、物語パート情報の一例を表す図である。
【図５】（ａ）、（ｂ）共にサーバ装置の記憶部に記憶されている物語テーマ情報、物語パート情報の他の例を表す図である。
【図６】（ａ）、（ｂ）共にサーバ装置の記憶部に記憶されている物語テーマ情報、物語パート情報のさらに他の例を表す図である。
【図７】サーバ装置の記憶部に記憶されている物語テーマ情報、物語パート情報のさらに他の例を表す図である。
【図８】（ａ）、（ｂ）共にサーバ装置の記憶部に記憶されているユーザ作成情報追加・付加済物語パート情報の一例を表す図である。
【図９】（ａ）、（ｂ）共にサーバ装置の記憶部に記憶されているユーザ作成情報追加・付加済物語パート情報の他の例を表す図である。
【図１０】（ａ）、（ｂ）共にサーバ装置の記憶部に記憶されているユーザ作成情報追加・付加済物語パート情報の更に他の例を表す図である。
【図１１】サーバ装置の記憶部に記憶されているユーザ作成情報追加・付加済物語パート情報の更に他の例を表す図である。
【図１２】本発明による物語作成フローの一例を表す図である。
【図１３】（ａ）、（ｂ）共に物語作成フローの他の例を表す図である。
【図１４】選択されたテーマについての未完成の物語がユーザ端末に表示された状態の一例を表す図である。
【図１５】物語パートの選択を促す状態の一例を表す図である。
【図１６】物語パートを選択した状態の一例を表す図である。
【図１７】選択した物語パートに文字情報を入力している状態の一例を表す図である。
【図１８】入力した文字情報が表示された状態の一例を表す図である。
【図１９】図１６図示の物語パートを選択した状態の他の例を表す図である。
【図２０】選択した図柄パターンが表示された状態の一例を表す図である。
【図２１】（ａ）（ｂ）（ｃ）共に選択した図柄パターンが表示された状態の他の例を表す図である。
【図２２】物語を作成している状態の一例を表すである。
【図２３】作成された物語が表示された状態の一例を表す図である。
【図２４】作成された物語の選択を促す状態の一例を表す図である。
【図２５】作成された物語を選択した状態の一例を表す図である。
【図２６】（ａ）、（ｂ）共に、選択した物語を評価している状態の一例を表す図である。
【発明を実施するための形態】
【０００９】
以下、添付図面を参照して本発明の実施形態の一例を説明する。
【００１０】
本発明の物語作成システム１は、インターネット通信網、無線通信規格で定められている無線通信網を含む通信ネットワーク５に接続可能なコンピュータからなり、複数のユーザ３ａ、３ｂ、・・・３ｎ（以下、「ユーザ３」という）が使用する複数のユーザ端末４ａ、４ｂ、・・・４ｎ（以下、「ユーザ端末４」という）からそれぞれ情報を受け付けて一つの物語を作成する物語作成システムである。
【００１１】
後述する第２〜第８の実施形態において、第１の実施形態で説明する構成と共通する構成については同じ符号を付し、その説明を省略する。
【００１２】
［第１の実施形態］
図１の実施形態では、ユーザ３が使用するユーザ端末４と、本発明に係る物語作成サービスを提供する事業者（以下、「事業者」という）が通信ネットワーク５に接続可能に設置しているサーバ装置２とが、通信ネットワーク５を介して接続された構成となっている。
【００１３】
ユーザ端末４には、パーソナルコンピュータ、タブレット端末、スマートフォン、ウェブ閲覧機能などを有する携帯電話機、等の端末が含まれ、本発明に係る物語作成サービスをウェブ上で利用するためのウェブブラウザを備えている。
【００１４】
あるいは、ユーザ端末４には、前記物語作成サービスの提供を受けるためのアプリケーションプログラムがサーバ装置２からダウンロード、インストールされている。
【００１５】
サーバ装置２は、ユーザ端末４と相互に情報の送受信を行う情報送受信部６を備えている（図２）。
【００１６】
サーバ装置２は、各種の情報を記憶する記憶部７を備えている。記憶部７は、ユーザ情報記憶部７ａ、物語テーマ情報記憶部７ｂ、物語パート情報記憶部７ｃ、ユーザ作成情報追加・付加済物語パート情報記憶部７ｄとを備えている（図２）。
【００１７】
ユーザ情報記憶部７ａには、図３図示のように、ユーザ３が本発明に係る物語作成サービスの提供を受けるためユーザ端末４を使用して入力したユーザ名、国籍、ニックネーム、等のユーザ３についてのユーザ情報がユーザＩＤに関連付けられて記憶されている。
【００１８】
物語テーマ情報記憶部７ｂには、図４〜図７図示のように、物語ごとに各物語のお題、タイトル、等のテーマについての物語テーマ情報がテーマＩＤに関連付けられて複数記憶されている。
【００１９】
物語パート情報記憶部７ｃには、図４〜図７図示のように、テーマごとに各テーマの各物語を構成する複数の物語パートについての物語パート情報が物語パートＩＤに関連付けられて記憶されている。
【００２０】
前記物語パート情報には、前記物語パートごとに、ユーザ３が各物語パートに対してユーザ作成文字情報及び／又はユーザ作成図形情報を追加・付加する際の発想の契機となる一又は複数のサジェスチョン文字情報及び／又はサジェスチョン図形情報が含まれている。
【００２１】
例えば、前記物語を４コマ漫画とした場合、前記物語パートは、図１４図示のような前記４コマ漫画を構成する４コマの各コマ（一コマ目２１、二コマ目２２、三コマ目２３、四コマ目２４）である。そして、コマごとに、図４（ａ）、（ｂ）図示のようなユーザ３が各コマに対してセリフなどのユーザ作成文字情報及び／又は絵、図形などのユーザ作成図形情報を追加・付加する際の発想の契機となる前記漫画のキャラクターやその表情パターン、背景や前記キャラクターの動きのパターン、等を含む前記漫画の図柄パターンが含まれている。
【００２２】
図４（ａ）図示の例では、物語パート（一コマ目、二コマ目、三コマ目、四コマ目）ごとに一つのサジェスチョン図形情報（図柄パターン）が含まれている。
【００２３】
図４（ｂ）図示の例では、物語パート（一コマ目、二コマ目、三コマ目、四コマ目）ごとに四種類のサジェスチョン図形情報（図柄パターン）が含まれている。
【００２４】
また、例えば、前記物語を小説とした場合、前記物語パートを、前記小説を構成する各パート（一ページ目、二ページ目、三ページ目、四ページ目、等）とすることができる。そして、パートごとに、図５（ａ）、（ｂ）図示のようなユーザ３が各パートに対してセリフなどのユーザ作成文字情報及び／又は絵、図形などのユーザ作成図形情報を追加・付加する際の発想の契機となる文章、言葉などの一又は複数のサジェスチョン文字情報が含まれるようにすることもできる。
【００２５】
図５（ａ）図示の例では、物語パート（一ページ目、二ページ目、三ページ目、四ページ目）ごとに一つのサジェスチョン文字情報が含まれている。
【００２６】
図５（ｂ）図示の例では、物語パート（一ページ目、二ページ目、三ページ目、四ページ目）ごとに四種類のサジェスチョン文字情報が含まれている。
【００２７】
これらの他、前記物語パートごとに、図６図示のようなユーザ３が各物語パートに対してユーザ作成文字情報及び／又はユーザ作成図形情報を追加・付加する際の発想の契機となる一又は複数のサジェスチョン文字情報及びサジェスチョン図形情報が含まれるようにすることもできる。
【００２８】
図６（ａ）図示の例では、前記物語パートごとに文章、言葉などの一つのサジェスチョン文字情報と物語のキャラクターやその表情パターン、背景や前記キャラクターの動きのパターン、等を含む一つのサジェスチョン図形情報（図柄パターン）が含まれている。
【００２９】
図６（ｂ）図示の例では、前記物語パートごとに四種類のサジェスチョン文字情報と四種類のサジェスチョン図形情報（図柄パターン）が含まれている。
【００３０】
このように、前記物語パート情報は、物語パートごとに、ユーザ３が各物語パートに対してユーザ作成文字情報及び／又はユーザ作成図形情報を追加・付加する際の発想の契機となる一又は複数のサジェスチョン文字情報及び／又はサジェスチョン図形情報が含まれている状態で物語パート情報記憶部７ｃに記憶されており、このような物語パートで構成される物語は、各物語パートに対して当該物語を完成させるための文字情報及び／又は図形情報が追加・付加されていない未完成の状態である。
【００３１】
ユーザ３は、一つのテーマの物語を選択した後、当該選択した物語を構成するあらかじめ定められている順序で並べられている前記複数の物語パート情報の中から、ユーザ３がユーザ作成文字情報及び／又はユーザ作成図形情報の入力を行うことを希望する一つの物語パートを選択した上で、当該選択した物語パートに含まれているサジェスチョン文字情報及び／又はサジェスチョン図形情報を参照して、種々のユーザ作成文字情報及び／又はユーザ作成図形情報を自由に発想し、当該ユーザ作成文字情報及び／又はユーザ作成図形情報を前記各物語パートの中から選択、参照した物語パートに追加・付加して前記物語を構成する前記選択した物語パートを完成させることになる。
【００３２】
この場合、各物語パートに複数のサジェスチョン文字情報及び／又はサジェスチョン図形情報が含まれているときには、当該複数のサジェスチョン文字情報及び／又はサジェスチョン図形情報の中から一つのサジェスチョン図形情報及び／又は一つのサジェスチョン文字情報を選択した上で、当該選択した一つのサジェスチョン図形情報及び／又は一つのサジェスチョン文字情報を参照して、種々のユーザ作成文字情報及び／又はユーザ作成図形情報を自由に発想し、当該ユーザ作成文字情報及び／又はユーザ作成図形情報を前記各物語パートの中から選択、参照した物語パートに追加・付加して前記物語を構成する前記選択した物語パートを完成させることになる。
【００３３】
図４（ａ）、図５（ａ）図示の例では、ユーザ３は、ユーザ作成文字情報及び／又はユーザ作成図形情報の入力を行うことを希望する一つの物語パートを選択した上で、各パートのサジェスチョン図形情報又はサジェスチョン文字情報を参照して、セリフなどのユーザ作成文字情報及び／又は絵、図形などのユーザ作成図形情報を自由に発想し、当該ユーザ作成文字情報及び／又はユーザ作成図形情報を、前記複数の物語パートの中から選択した物語パートに追加・付加して前記物語を構成する前記選択した物語パートを完成させることになる。
【００３４】
図４（ｂ）、図５（ｂ）図示の例では、各物語パートにそれぞれ四種類のサジェスチョン図形情報又は四種類のサジェスチョン文字情報が含まれているので、ユーザ３は、ユーザ作成文字情報及び／又はユーザ作成図形情報の入力を行うことを希望する一つの物語パートを選択した上で、各パートの四種類のサジェスチョン図形情報又は四種類のサジェスチョン文字情報の中から一つのサジェスチョン図形情報又は一つのサジェスチョン文字情報を選択し、当該選択した一つのサジェスチョン図形情報又は一つのサジェスチョン文字情報を参照して、セリフなどのユーザ作成文字情報及び／又は絵、図形などのユーザ作成図形情報を自由に発想し、当該ユーザ作成文字情報及び／又はユーザ作成図形情報を、前記選択して参照したサジェスチョン図形情報又はサジェスチョン文字情報が含まれている前記各物語パートの中から選択した物語パートに追加・付加して前記物語を構成する前記選択した物語パートを完成させることになる。
【００３５】
図６（ａ）図示の例では、各物語パートにそれぞれ一つのサジェスチョン図形情報と一つのサジェスチョン文字情報とが含まれているので、ユーザ３は、ユーザ作成文字情報及び／又はユーザ作成図形情報の入力を行うことを希望する一つの物語パートを選択した上で、各パートのサジェスチョン図形情報及び／又はサジェスチョン文字情報を参照して、セリフなどのユーザ作成文字情報及び／又は絵、図形などのユーザ作成図形情報を自由に発想し、当該ユーザ作成文字情報及び／又はユーザ作成図形情報を、前記選択して参照したサジェスチョン図形情報及び／又はサジェスチョン文字情報が含まれている前記各物語パートの中から選択した物語パートに追加・付加して前記物語を構成する前記選択した物語パートを完成させることになる。
【００３６】
図６（ｂ）図示の例では、各物語パートにそれぞれ四種類のサジェスチョン図形情報と四種類のサジェスチョン文字情報が含まれているので、ユーザ３は、ユーザ作成文字情報及び／又はユーザ作成図形情報の入力を行うことを希望する一つの物語パートを選択した上で、各パートの四種類のサジェスチョン図形情報及び又は四種類のサジェスチョン文字情報の中から一つのサジェスチョン図形情報及び／又は一つのサジェスチョン文字情報を選択し、当該選択した一つのサジェスチョン図形情報及び／又は一つのサジェスチョン文字情報を参照して、セリフなどのユーザ作成文字情報及び／又は絵、図形などのユーザ作成図形情報を自由に発想し、当該ユーザ作成文字情報及び／又はユーザ作成図形情報を、前記選択して参照したサジェスチョン図形情報及び／又はサジェスチョン文字情報が含まれている前記各物語パートの中から選択した物語パートに追加・付加して前記物語を構成する前記選択した物語パートを完成させることになる。
【００３７】
なお、各物語パートにそれぞれ含まれている四種類のサジェスチョン図形情報及び四種類のサジェスチョン文字情報の中から一つのサジェスチョン図形情報及び／又は一つのサジェスチョン文字情報を選択する際、あらかじめ、「文章１ａと図形１ａ」の組み合わせのように、特定のサジェスチョン図形情報と特定のサジェスチョン文字情報とが組み合わされていて、４種類の組み合わせの中から一種類の組み合わせを選択することができる。
【００３８】
また、組み合わせは設定されておらず、ユーザ３が４種類のサジェスチョン文字情報の中から任意に一つのサジェスチョン文字情報を選択し、また、ユーザ３が４種類のサジェスチョン図形情報の中から任意に一つのサジェスチョン図形情報を選択して組み合わせることにより、各物語パートにそれぞれ含まれている四種類のサジェスチョン図形情報及び四種類のサジェスチョン文字情報の中から一つのサジェスチョン図形情報及び一つのサジェスチョン文字情報を選択することもできる。
【００３９】
上述したように、図４〜図６図示の例では、物語パート情報記憶部７ｃには、前記物語パートごとに、ユーザ３が各物語パートに対してユーザ作成文字情報及び／又はユーザ作成図形情報を追加・付加する際の発想の契機となる一又は複数のサジェスチョン文字情報及び／又はサジェスチョン図形情報を含む物語パート情報が記憶されている。
【００４０】
この他、前記物語パート情報には、図７図示のように、前記複数の物語パートのうち、一部の物語パートに対して前記事業者が予め入力した事業者作成文字情報及び／又は事業者作成図形情報が含まれていてもよい。
【００４１】
図７図示の例で説明すると、テーマ７のパート１に対して前記事業者が予め入力したセリフＴ７Ｐ１が追加・付加され、前記パート１は、前記テーマ７の前記物語を構成するパートとして完成している。
【００４２】
この場合、ユーザ３は、前記パート１以外の各物語パート（パート２、パート３、パート４）の中から、ユーザ作成文字情報及び／又はユーザ作成図形情報の入力を行うことを希望する一つの物語パートを選択した上で、各パートのサジェスチョン図形情報を参照して、セリフなどのユーザ作成文字情報及び／又は絵、図形などのユーザ作成図形情報を自由に発想し、当該ユーザ作成文字情報及び／又はユーザ作成図形情報を前記パート１以外の各物語パート（パート２〜パート４）の中から選択した一つの物語パートに追加・付加して前記物語を構成する前記選択した物語パートを完成させることになる。
【００４３】
ユーザ作成情報追加・付加済物語パート情報記憶部７ｄには、図８〜図１１図示のように、前記各物語パートに対して、前記一又は複数のサジェスチョン文字情報及び／又はサジェスチョン図形情報を参照して、ユーザ３が入力したユーザ作成文字情報及び／又はユーザ作成図形情報が追加・付加されているユーザ作成情報追加・付加済物語パート情報が、前記各テーマの各物語の前記物語パートごとに記憶されている。
【００４４】
例えば、前記物語を４コマ漫画とした場合、図８（ａ）図示の例では、各物語パート（一コマ目、二コマ目、三コマ目、四コマ目）に含まれている一つのサジェスチョン図形情報（図形１、図形２、図形３、図形４）を参照して、前記各物語パートに対してユーザ３が入力したユーザ作成文字情報（セリフ１、・・・、セリフ１６）が追加・付加されているユーザ作成情報追加・付加済物語パート情報が、前記各テーマの各物語の前記物語パートごとに記憶されている。
【００４５】
図８（ｂ）図示の例では、各物語パート（一コマ目、二コマ目、三コマ目、四コマ目）に含まれている四種類のサジェスチョン図形情報（図形１ａ・・・図形１ｄ、図形２ａ・・・図形２ｄ、図形３ａ・・・３ｄ、図形４ａ・・・図形４ｄ）を全て見た上で、前記四種類のサジェスチョン図形情報の中から一つのサジェスチョン図形情報（図形１ａ、図形２ａ、図形３ａ、図形４ａ）を参照して、前記各物語パートに対してユーザ３が入力したユーザ作成文字情報（セリフ１７、・・・、セリフ３２）が追加・付加されているユーザ作成情報追加・付加済物語パート情報が、前記各テーマの各物語の前記物語パートごとに記憶されている。図示の例では、ユーザ３が各パートにおいて参照している前記サジェスチョン図形情報が図形１ａ、図形２ａ、図形３ａ、図形４ａで共通しているが、例えば、パート１についてユーザＩＤ１７のユーザが図形１ａを参照し、ユーザＩＤ１８のユーザが図形１ｂを参照し、ユーザＩＤ１９のユーザが図形１ｃを参照し、ユーザＩＤ２０のユーザが図形１ｄを参照するように、ユーザごとに前記参照するサジェスチョン図形情報は異なっていてもよい。
【００４６】
また、例えば、前記物語を小説とした場合、図９（ａ）図示の例では、各物語パート（一ページ目、二ページ目、三ページ目、四ページ目）に含まれている一つのサジェスチョン文字情報（文章１、文章２、文章３、文章４）を参照して、前記各物語パートに対してユーザ３が入力したユーザ作成文字情報（セリフ３３、・・・、セリフ４８）が追加・付加されているユーザ作成情報追加・付加済物語パート情報が、前記各テーマの各物語の前記物語パートごとに記憶されている。
【００４７】
図９（ｂ）図示の例では、各物語パート（一ページ目、二ページ目、三ページ目、四ページ目）に含まれている四種類のサジェスチョン文字情報（文章１ａ・・・文章１ｄ、文章２ａ・・・文章２ｄ、文章３ａ・・・３ｄ、文章４ａ・・・文章４ｄ）を全て見た上で、前記四種類のサジェスチョン文字情報の中から一つのサジェスチョン文字情報（文章１ａ、文章２ａ、文章３ａ、文章４ａ）を参照して、前記各物語パートに対してユーザ３が入力したユーザ作成文字情報（セリフ４９、・・・、セリフ６４）が追加・付加されているユーザ作成情報追加・付加済物語パート情報が、前記各テーマの各物語の前記物語パートごとに記憶されている。図示の例では、ユーザ３が各パートにおいて参照している前記サジェスチョン文字情報が文章１ａ、文章２ａ、文章３ａ、文章４ａで共通しているが、例えば、パート１についてユーザＩＤ４９のユーザが文章１ａを参照し、ユーザＩＤ５０のユーザが文章１ｂを参照し、ユーザＩＤ５１のユーザが文章１ｃを参照し、ユーザＩＤ５２のユーザが文章１ｄを参照するように、ユーザごとに前記参照するサジェスチョン文字情報は異なっていてもよい。
【００４８】
これらの他、図１０（ａ）図示の例では、各物語パート（一パート目、二パート目、三パート目、四パート目）に含まれている一つのサジェスチョン図形情報（図形１、図形２、図形３、図形４）と一つのサジェスチョン文字情報（文章１、文章２、文章３、文章４）を参照して、前記各物語パートに対してユーザ３が入力したユーザ作成文字情報（セリフ６５、・・・、セリフ８０）が追加・付加されているユーザ作成情報追加・付加済物語パート情報が、前記各テーマの各物語の前記物語パートごとに記憶されている。
【００４９】
図１０（ｂ）図示の例では、各物語パート（一パート目、二パート目、三パート目、四パート目）に含まれている四種類のサジェスチョン図形情報（図形１ａ・・・図形１ｄ、図形２ａ・・・図形２ｄ、図形３ａ・・・３ｄ、図形４ａ・・・図形４ｄ）と四種類のサジェスチョン文字情報（文章１ａ・・・文章１ｄ、文章２ａ・・・文章２ｄ、文章３ａ・・・３ｄ、文章４ａ・・・文章４ｄ）を全て見た上で、前記四種類のサジェスチョン文字情報及びサジェスチョン図形情報の中から一つのサジェスチョン図形情報（図形１ａ、図形２ａ、図形３ａ、図形４ａ）と一つのサジェスチョン文字情報（文章１、文章２、文章３、文章４）を参照して、前記各物語パートに対してユーザ３が入力したユーザ作成文字情報（セリフ８１、・・・、セリフ９６）が追加・付加されているユーザ作成情報追加・付加済物語パート情報が、前記各テーマの各物語の前記物語パートごとに記憶されている。図示の例では、ユーザ３が各パートにおいて参照している前記サジェスチョン図形情報及び前記サジェスチョン文字情報が図形１ａ、図形２ａ、図形３ａ、図形４ａと文章１ａ、文章２ａ、文章３ａ、文章４ａで共通しているが、例えば、パート１についてユーザＩＤ８１のユーザが図形１ａと文章１ａを参照し、ユーザＩＤ８２のユーザが図形１ｂと文章１ｂを参照し、ユーザＩＤ８３のユーザが図形１ｃと文章１ｃを参照し、ユーザＩＤ８４のユーザが図形１ｄと文章１ｄを参照するように、ユーザごとに前記参照する前記サジェスチョン図形情報及びサジェスチョン文字情報は異なっていてもよい。
【００５０】
図１１図示の例では、前記複数の物語パートのうち、一部の物語パート（一パート目）に対して前記事業者が予め入力した事業者作成文字情報（セリフＴ７Ｐ１）が当該一部の物語パートに記憶され、前記一部の物語パート以外の各物語パート（二パート目、三パート目、四パート目）に含まれている一つのサジェスチョン図形情報（図形２、図形３、図形４）を参照して、前記各物語パートに対してユーザ３が入力したユーザ作成文字情報（セリフ９７、・・・、セリフ１０８）が追加・付加されているユーザ作成情報追加・付加済物語パート情報が、前記一部の物語パート以外の物語パートごとに記憶されている。
【００５１】
この場合、後述するテーマ選択指示処理部８が行う処理に応じてユーザ３が図１１図示のテーマ７を選択したときには、後述する物語パート選択指示処理部９が、図１１に例示されているテーマ７の物語を構成するあらかじめ定められている順序で並べられている複数の物語パート情報（パート１、パート２、パート３、パート４）の中から、ユーザ３がユーザ作成文字情報及び／又はユーザ作成図形情報の入力を行うことを希望する一つの物語パートを選択するようにユーザ３に対して促すが、事業者が予め入力した事業者作成文字情報（セリフＴ７Ｐ１）からなる物語パート（一コマ目）に関しては、この事業者作成文字情報（セリフＴ７Ｐ１）が、後述する第一の物語表示処理部１２ａによって選択・抽出される一コマ目の物語パートについての「ユーザ作成情報追加・付加済物語パート情報」として取り扱われるようになる。
【００５２】
すなわちユーザ３は、自分が選択した物語であるテーマ７（図１１）について、一コマ目は事業者作成文字情報（セリフＴ７Ｐ１）が物語の構成要素として使用されることを承知の上で、それ以外の各物語パート（二コマ目、三コマ目、四コマ目）に含まれている一つのサジェスチョン図形情報（図形２、図形３、図形４）を選択、参照して、選択した物語パート（例えば、二コマ目）に対してユーザ作成文字情報（例えば、セリフ９７）を追加・付加することになる。
【００５３】
テーマ７の物語パート情報の中で、パート１（一コマ目）についての物語パート情報は、このように、事業者が予め入力した事業者作成文字情報（セリフＴ７Ｐ１）であるので、テーマ７を選択したユーザ３は、一コマ目に追加・付加されている文字情報が確定している（固定されている）下で、自分が選択した物語パート（例えば、パート２）に含まれているサジェスチョン図形情報（図形２）を参照して任意のユーザ作成文字情報を追加・付加することになる。
【００５４】
そこで、第一の物語表示処理部１２ａが、ユーザ３が二コマ目にユーザ作成文字情報を入力したことを受けて、これに連続する一コマ目、三コマ目、四コマ目に関する「ユーザ作成情報追加・付加済物語パート情報」を任意に選択・抽出してきて順番通りに並べて物語を構成する際に、一コマ目については、必ず、業者が予め入力した事業者作成文字情報（セリフＴ７Ｐ１）を表示することになる。
【００５５】
ここでは、パート１（一コマ目）についての物語パート情報が、事業者が予め入力した事業者作成文字情報であったが、パート１（一コマ目）〜パート４（四コマ目）の中の何れかのパート（コマ）、いずれか複数のパート（コマ）が、事業者が予め入力した事業者作成文字情報及び／又は図形情報が含まれているものであり、そのパートがあらかじめ確定している（固定されている）下で、確定していないパートについて、ユーザが任意のユーザ作成文字情報及び／又はユーザ作成図形情報を追加するようにもできる。
【００５６】
図８〜図１１図示の例では、ユーザ３が各パートに対して入力する情報を文字情報としているが、文字情報だけでなく、絵、図形などの図形情報も含まれる。また、これらの情報は、ユーザ端末４が備えるキーボード、マウス、タッチパネル、ペンタブレット（登録商標）のペン型入力機器などの入力手段によって入力される。
【００５７】
サーバ装置２は、アクセスしてきたユーザ端末４に対して、物語テーマ情報記憶部７ｂに記憶されている前記物語の複数のテーマの中から一つのテーマを選択するように促すテーマ選択指示処理部８を備えている（図２）。
【００５８】
テーマ選択指示処理部８は、ユーザ３がユーザ端末４を使用して本発明に係る物語作成サービスの提供を受けるためのアプリケーションプログラム又はウェブブラウザを起動すると、物語テーマ情報記憶部７ｂに記憶されている前記物語の複数のテーマの一覧情報をユーザ端末４へ送信し、当該複数のテーマの一覧情報の中から一つのテーマを選択するように促す処理を行う。
【００５９】
サーバ装置２は、物語パート情報記憶部７ｃに記憶されている選択された前記一つのテーマの物語を構成するあらかじめ定められている順序で並べられている複数の物語パート情報の中から、ユーザ３がユーザ作成文字情報及び／又はユーザ作成図形情報の入力を行うことを希望する一つの物語パートを選択するようにアクセスしてきたユーザ端末４に対して促す物語パート選択指示処理部９を備えている（図２）。
【００６０】
例えば、前記物語を４コマ漫画とした場合、物語パート選択指示処理部９は、ユーザ３がユーザ端末４を使用して前記４コマ漫画の複数のテーマの一覧情報の中から一つのテーマを選択した後、図１４図示のように、当該選択された一つのテーマの４コマ漫画を構成する４コマの各コマをユーザ端末４に送信し、図１５図示のように、各コマの中から、ユーザ３がユーザ作成文字情報及び／又はユーザ作成図形情報の入力を行うことを希望する一つのコマを選択するように促す処理を行う。
【００６１】
また、例えば、前記物語を小説とした場合、物語パート選択指示処理部９は、ユーザ３がユーザ端末４を使用して前記小説の複数のテーマの一覧情報の中から一つのテーマを選択した後、当該選択された一つのテーマの小説を構成する複数のパート（一ページ目、二ページ目、三ページ目、四ページ目、等）をユーザ端末４に送信し、各パートの中から、ユーザ３がユーザ作成文字情報及び／又はユーザ作成図形情報の入力を行うことを希望する一つのパートを選択するように促す処理を行う。
【００６２】
サーバ装置２は、物語パート選択指示処理部９の指示に基づいてユーザ３が選択した前記物語パートに含まれている前記複数のサジェスチョン文字情報及び／又はサジェスチョン図形情報の中から、ユーザ３が選択した前記物語パートに対してユーザ作成文字情報及び／又はユーザ作成図形情報を追加・付加する際の発想の契機とするべく参照する一つのサジェスチョン文字情報及び／又はサジェスチョン図形情報を選択するようにアクセスしてきたユーザ端末４に対して促すサジェスチョン情報選択指示処理部１０を備えている。
例えば、前記物語を４コマ漫画とした場合、図１９図示のように、ユーザ３が選択したコマに対して、前記漫画の図柄パターンである複数の漫画のキャラクターの表情パターンの一覧情報を提示し、表示されている前記漫画の図柄パターン２５ａ、２５ｂ、２５ｃ、２５ｄ、２５ｅの中から一つの図柄パターンを選択するように促す処理を行う。図２０では、選択された図柄パターン２５ｂに係る前記漫画の図柄が表示されている。
【００６３】
また、図２１図示のように、ユーザ３が選択したコマに対して、前記漫画の図柄パターンである複数の背景や前記キャラクターの動きのパターンの一覧情報を提示し、表示されている前記漫画の図柄パターン２７ａ、２７ｂ、２７ｃの中から一つの図柄パターンを選択するように促す処理を行う。図２１（ａ）、（ｂ）、（ｃ）ではそれぞれ、選択された図柄パターン２７ｃ、２７ａ、２７ｂに係る前記漫画の図柄が表示されている。
【００６４】
サーバ装置２は、前記選択した物語パートに対してユーザ３が入力した前記ユーザ作成文字情報及び／又はユーザ作成図形情報を追加・付加したユーザ作成情報追加・付加済物語パート情報を取得した際に、当該情報をユーザ作成情報追加・付加済物語パート情報記憶部７ｄに記憶するユーザ作成情報追加・付加済物語パート情報登録処理部１１を備えている（図２）。
【００６５】
サーバ装置２は、一のユーザ３のユーザ作成情報追加・付加済物語パート情報を取得した際に、一のユーザ３が選択した物語パートに連続する前及び／又は後ろの各物語パートについて、ユーザ作成情報追加・付加済物語パート情報記憶部７ｄに記憶されている複数の他のユーザ３のユーザ作成情報追加・付加済物語パート情報の中から一つのユーザ作成情報追加・付加済物語パート情報を任意に選択・抽出し、前記取得した一のユーザ３の前記ユーザ作成情報追加・付加済物語パート情報の前及び／又は後ろに前記あらかじめ定められている順序で並べて一のユーザ３が選択した前記一つのテーマの物語を構成して表示する第一の物語表示処理部１２ａを備えている（図２）。
【００６６】
例えば、前記物語を４コマ漫画とした場合、図１５に図示されている前記４コマ漫画を構成する各コマの中から、図１６、図１７図示のように、ユーザＩＤ「Ｕ〇〇〇」のユーザ３はユーザ作成文字情報及び／又はユーザ作成図形情報の入力を行うことを希望する一コマ目２１を選択し、セリフなどのユーザ作成文字情報を入力する。
【００６７】
第一の物語表示処理部１２ａは、一コマ目２１に連続する二コマ目２２、三コマ目２３、四コマ目２４について図８図示のユーザ作成情報追加・付加済物語パート情報記憶部７ｄに記憶されている複数の他のユーザ３のユーザ作成情報追加・付加済物語パート情報の中から一つのユーザ作成情報追加・付加済物語パート情報を任意に選択・抽出する。
【００６８】
例えば、第一の物語表示処理部１２ａは、図８（ａ）図示のユーザ作成情報追加・付加済物語パート情報記憶部７ｄに記憶されている複数のユーザ作成情報追加・付加済物語パート情報の中から
・二コマ目２２について、ユーザＩＤ「Ｕ６」のユーザが入力した「セリフ６」が追加・付加されているユーザ作成情報追加・付加済物語パート情報を選択・抽出し、
・三コマ目２３について、ユーザＩＤ「Ｕ１１」のユーザが入力した「セリフ１１」が追加・付加されているユーザ作成情報追加・付加済物語パート情報を選択・抽出し、
・四コマ目２４について、ユーザＩＤ「Ｕ１６」のユーザが入力した「セリフ１６」が追加・付加されているユーザ作成情報追加・付加済物語パート情報を選択・抽出する
処理を行う。
【００６９】
そして、第一の物語表示処理部１２ａは、図２３図示のように、一コマ目２１にユーザＩＤ「Ｕ〇〇〇」のユーザ３が入力した前記セリフが追加・付加されているユーザ作成情報追加・付加済物語パート情報を表示し、二コマ目２２、三コマ目２３、四コマ目２４にそれぞれ前記選択・抽出した他のユーザ３の作成情報追加・付加済物語パート情報を表示する。
【００７０】
ユーザＩＤ「Ｕ〇〇〇」のユーザ３は、自分がユーザ作成文字情報及び／又はユーザ作成図形情報を入力した一コマ目２１に連続する二コマ目２２、三コマ目２３、四コマ目２４にどのようなユーザ作成文字情報及び／又はユーザ作成図形情報が入力されて自分が選択した４コマ漫画が構成されることになるか全く予想がつかない状態で一コマ目２１にユーザ作成文字情報及び／又はユーザ作成図形情報を入力している。そこで、予期せぬ意外性をもったストーリー展開の物語（４コマ漫画）が、複数のユーザ（ユーザＩＤ「Ｕ〇〇〇」のユーザと、ユーザＩＤ「Ｕ６」のユーザと、ユーザＩＤ「Ｕ１１」のユーザと、ユーザＩＤ「Ｕ１６」のユーザと）で作成されることになる。
【００７１】
この他、図１１を例に説明する。図１１の例は、前述したように、複数の物語パート情報の中の少なくとも一つが、事業者が予め入力した事業者作成文字情報であって、あらかじめ確定している（固定されている）下で、確定していないパートについて、ユーザが任意のユーザ作成文字情報及び／又はユーザ作成図形情報を追加する実施形態である。
【００７２】
ユーザＩＤ「Ｕ×××」のユーザ３はユーザ作成文字情報及び／又はユーザ作成図形情報の入力を行うことを希望する二コマ目を選択し、セリフなどのユーザ作成文字情報を入力する。
【００７３】
第一の物語表示処理部１２ａは、前記二コマ目に連続する三コマ目、四コマ目について図１１図示のユーザ作成情報追加・付加済物語パート情報記憶部７ｄに記憶されている複数の他のユーザ３のユーザ作成情報追加・付加済物語パート情報の中から一つのユーザ作成情報追加・付加済物語パート情報を任意に選択・抽出し、一コマ目について図１１図示の前記事業者が予め入力した事業者作成文字情報が追加・付加されている事業者作成情報追加・付加済物語パート情報を選択する。
【００７４】
例えば、第一の物語表示処理部１２ａは、図１１図示のユーザ作成情報追加・付加済物語パート情報記憶部７ｄに記憶されている複数のユーザ作成情報追加・付加済物語パート情報の中から
・一コマ目について、前記事業者が予め入力した「セリフＴ１Ｐ１」が追加・付加されている事業者作成情報追加・付加済物語パート情報を選択し、
・三コマ目について、ユーザＩＤ「Ｕ１０３」のユーザが入力した「セリフ１０３」が追加・付加されているユーザ作成情報追加・付加済物語パート情報を選択・抽出し、
・四コマ目について、ユーザＩＤ「Ｕ１０８」のユーザが入力した「セリフ１０８」が追加・付加されているユーザ作成情報追加・付加済物語パート情報を選択・抽出する
処理を行う。
【００７５】
そして、第一の物語表示処理部１２ａは、前記二コマ目にユーザＩＤ「Ｕ×××」のユーザ３が入力した前記セリフが追加・付加されているユーザ作成情報追加・付加済物語パート情報を表示し、前記一コマ目に、前記事業者が予め入力した前記セリフが追加・付加されている事業者作成情報追加・付加済物語パート情報を表示し、前記三コマ目、四コマ目にそれぞれ前記選択・抽出した他のユーザ３のユーザ作成情報追加・付加済物語パート情報を表示する。
【００７６】
ユーザＩＤ「Ｕ×××」のユーザ３は、自分が選択した物語（テーマ７）で、一コマ目に事業者があらかじめ準備していたセリフＴ７Ｐ１が追加されているパート１の情報を見ながら、自分が選択した二コマ目（パート２）に任意にユーザ作成文字情報及び／又はユーザ作成図形情報を入力するわけであるが、これに連続する三コマ目、四コマ目にどのようなユーザ作成文字情報及び／又はユーザ作成図形情報が入力されて自分が選択した物語（テーマ７）が構成されることになるか全く予想がつかない状態で二コマ目にユーザ作成文字情報及び／又はユーザ作成図形情報を入力している。そこで、事業者があらかじめ準備していた固定されているパート１に連続する、予期せぬ意外性をもったストーリー展開の物語（（テーマ７）が、複数のユーザ（ユーザＩＤ「Ｕ×××」のユーザと、ユーザＩＤ「Ｕ１０３」のユーザと、ユーザＩＤ「Ｕ１０８」のユーザと）で作成されることになる。
【００７７】
また、例えば、前記物語を小説とした場合、ユーザＩＤ「Ｕ△△△」のユーザ３がユーザ作成文字情報及び／又はユーザ作成図形情報の入力を行うことを希望する二ページ目を選択し、セリフなどのユーザ作成文字情報及び／又はユーザ作成図形情報の入力を行う。
【００７８】
第一の物語表示処理部１２ａは、前記二ページ目に連続する一ページ目、三ページ目、四ページ目について図９図示のユーザ作成情報追加・付加済物語パート情報記憶部７ｄに記憶されている複数の他のユーザ３のユーザ作成情報追加・付加済物語パート情報の中から一つのユーザ作成情報追加・付加済物語パート情報を任意に選択・抽出する。
【００７９】
例えば、第一の物語表示処理部１２ａは、図９（ａ）図示のユーザ作成情報追加・付加済物語パート情報記憶部７ｄに記憶されている複数のユーザ作成情報追加・付加済物語パート情報の中から
・一ページ目について、ユーザＩＤ「Ｕ３３」のユーザが入力した「セリフ３３」が追加・付加されているユーザ作成情報追加・付加済物語パート情報を選択・抽出し、
・三ページ目について、ユーザＩＤ「Ｕ４３」のユーザが入力した「セリフ４３」が追加・付加されているユーザ作成情報追加・付加済物語パート情報を選択・抽出し、
・四ページ目について、ユーザＩＤ「Ｕ４８」のユーザが入力した「セリフ４８」が追加・付加されているユーザ作成情報追加・付加済物語パート情報を選択・抽出する
処理を行う。
【００８０】
そして、第一の物語表示処理部１２ａは、前記一ページ目、三ページ目、四ページ目にそれぞれ前記選択・抽出した他のユーザ３のユーザ作成情報追加・付加済物語パート情報を表示し、前記二ページ目にユーザＩＤ「Ｕ△△△」のユーザ３が入力した前記セリフが追加・付加されているユーザ作成情報追加・付加済物語パート情報を表示する。
【００８１】
ユーザＩＤ「Ｕ△△△」のユーザ３は、自分がユーザ作成文字情報及び／又はユーザ作成図形情報を入力した二ページ目に連続する一ページ目、三ページ目、四ページ目にどのようなユーザ作成文字情報及び／又はユーザ作成図形情報が入力されて自分が選択した小説が構成されることになるか全く予想がつかない状態で二ページ目にユーザ作成文字情報及び／又はユーザ作成図形情報を入力している。そこで、予期せぬ意外性をもったストーリー展開の小説が、複数のユーザ（ユーザＩＤ「Ｕ３３」のユーザと、ユーザＩＤ「Ｕ△△△」のユーザと、ユーザＩＤ「Ｕ４３」のユーザと、ユーザＩＤ「Ｕ４８」のユーザと）で作成されることになる。
【００８２】
なお、作成された物語については、記憶部７に前記物語のテーマＩＤに関連付けて記憶される。
【００８３】
これら各部が行う処理は、ＣＰＵ、ＲＡＭ、ＲＯＭ等を備える制御部１９（図２）によって制御される。
【００８４】
このように、一のユーザが選択した物語パートに対して当該一のユーザがユーザ作成文字情報及び／又はユーザ作成図形情報を追加・付加したユーザ作成情報追加・付加済物語パート情報、当該選択した物語パートに連続する前及び／又は後ろの複数の物語パートに対して他のユーザがそれぞれユーザ作成文字情報及び／又はユーザ作成図形情報を追加・付加した複数のユーザ作成情報追加・付加済物語パート情報からなる新たな一つの物語が作成される。
【００８５】
作成された物語の各物語パートにユーザ作成文字情報及び／又はユーザ作成図形情報が追加・付加されたユーザ作成情報追加・付加済物語パート情報は、ユーザ３が前記一又は複数のサジェスチョン文字情報及び／又はサジェスチョン図形情報を参照して、種々のユーザ作成文字情報及び／又はユーザ作成図形情報を自由に発想して入力したものであるから、前記作成された物語のストーリーは、前記ユーザ作成文字情報及び／又はユーザ作成図形情報を自由に発想して入力した一のユーザが予想もしていなかった展開となる。
【００８６】
そこで、この実施形態によれば、予期せぬ意外性をもったストーリー展開の物語を希望するユーザの要求に十分応えることが可能となる。
【００８７】
［第２の実施形態］
この実施形態では、サーバ装置２は、第１の実施形態で説明した構成の他、第一のユーザ作成情報追加・付加済物語パート情報選択指示処理部１６ａと、第一のユーザ作成情報追加・付加済物語パート情報抽出・選択処理部１７ａと、第二の物語表示処理部１２ｂと、を備えている（図２）。
【００８８】
第一のユーザ作成情報追加・付加済物語パート情報選択指示処理部１６ａは、アクセスしてきた一のユーザ３が使用するユーザ端末４に対して、選択された前記一つのテーマの物語を構成する前記複数の物語パートについて、ユーザ作成情報追加・付加済物語パート情報記憶部７ｄに記憶されている複数の他のユーザ３のユーザ作成情報追加・付加済物語パート情報を提示して、前記複数の物語パートの中の少なくとも一つ以上の物語パートについて、複数の他のユーザ３のユーザ作成情報追加・付加済物語パート情報の中から一つを選択するように促す処理を行う。
【００８９】
第一のユーザ作成情報追加・付加済物語パート情報抽出・選択処理部１７ａは、前記ユーザ作成情報追加・付加済物語パート情報の選択が行われなかった物語パートについて、ユーザ作成情報追加・付加済物語パート情報記憶部７ｄに記憶されている複数の他のユーザ３のユーザ作成情報追加・付加済物語パート情報の中から一つのユーザ作成情報追加・付加済物語パート情報を任意に選択・抽出する処理を行う。
【００９０】
第二の物語表示処理部１２ｂは、一のユーザ３が選択した他のユーザ３のユーザ作成情報追加・付加済物語パート情報と、第一のユーザ作成情報追加・付加済物語パート情報抽出・選択処理部１７ａが選択・抽出した他のユーザ３のユーザ作成情報追加・付加済物語パート情報とを、前記あらかじめ定められている順序で並べて一のユーザ３が選択した前記一つのテーマの物語を構成して表示する処理を行う。
【００９１】
例えば、前記物語を４コマ漫画とした場合、第二の物語表示処理部１２ｂは、一のユーザ３がユーザ端末４を使用して前記４コマ漫画の複数のテーマの一覧情報の中から一つのテーマを選択した後、選択された前記一つのテーマの４コマ漫画を構成する各コマのうち、
・一コマ目については、第一のユーザ作成情報追加・付加済物語パート情報選択指示処理部１６ａが提示した複数の他のユーザ３のユーザ作成情報追加・付加済物語パート情報の中から一つを選択するように促す処理に基づいて、一のユーザ３が選択した他のユーザ３のユーザ作成情報追加・付加済物語パート情報を表示し、
・二コマ目〜四コマ目については、第一のユーザ作成情報追加・付加済物語パート情報抽出・選択処理部１７ａが選択・抽出した他のユーザ３のユーザ作成情報追加・付加済物語パート情報を表示する
処理を行う。
【００９２】
このように、一のユーザ３が選択した物語パートに対して当該一のユーザ３が選択した他のユーザ３のユーザ作成情報追加・付加済物語パート情報、当該選択した物語パートに連続する前及び／又は後ろの複数の物語パートに対して他のユーザ３がそれぞれユーザ作成文字情報及び／又はユーザ作成図形情報を追加・付加した複数のユーザ作成情報追加・付加済物語パート情報からなる新たな一つの物語が作成される。
【００９３】
作成された物語の各物語パートにユーザ作成文字情報及び／又はユーザ作成図形情報が追加・付加されたユーザ作成情報追加・付加済物語パート情報は、他のユーザ３が前記一又は複数のサジェスチョン文字情報及び／又はサジェスチョン図形情報を参照して、種々のユーザ作成文字情報及び／又はユーザ作成図形情報を自由に発想して入力したものであるから、前記作成された物語のストーリーは、他のユーザ３のユーザ作成情報追加・付加済物語パート情報を選択した一のユーザ３が予想もしていなかった展開となる。
【００９４】
そこで、この実施形態によっても、予期せぬ意外性をもったストーリー展開の物語を希望するユーザの要求に十分応えることが可能となる。
【００９５】
［第３の実施形態］
この実施形態では、サーバ装置２は、第１の実施形態で説明した構成の他、第一のユーザ作成情報追加・付加済物語パート情報選択指示処理部１６ａと、第一のユーザ作成情報追加・付加指示処理部１８ａと、第二のユーザ作成情報追加・付加済物語パート情報抽出・選択処理部１７ｂと、第三の物語表示処理部１２ｃと、を備えている（図２）。
【００９６】
第一のユーザ作成情報追加・付加済物語パート情報選択指示処理部１６ａが行う動作処理は、上述の第２の実施形態と同様である。
【００９７】
第一のユーザ作成情報追加・付加指示処理部１８ａは、前記ユーザ作成情報追加・付加済物語パート情報の選択が行われなかった前記複数の物語パートの中の他の少なくとも一つの物語パートに対して、前記サジェスチョンン文字情報及び／又はサジェスチョン図形情報を参照して前記ユーザ作成文字情報及び／又はユーザ作成図形情報を追加・付加するようにアクセスしてきた一のユーザ３のユーザ端末４に対して促す処理を行う。
【００９８】
第二のユーザ作成情報追加・付加済物語パート情報抽出・選択処理部１７ｂは、前記ユーザ作成情報追加・付加済物語パート情報の選択が行われなかった物語パートであって、なおかつ、前記ユーザ作成文字情報及び／又はユーザ作成図形情報の追加・付加が行われない物語パートについて、ユーザ作成情報追加・付加済物語パート情報記憶部７ｄに記憶されている複数の他のユーザ３のユーザ作成情報追加・付加済物語パート情報の中から一つのユーザ作成情報追加・付加済物語パート情報を任意に選択・抽出する処理を行う。
【００９９】
第三の物語表示処理部１２ｃは、一のユーザ３が選択した他のユーザ３のユーザ作成情報追加・付加済物語パート情報と、前記ユーザ作成文字情報及び／又はユーザ作成図形情報の追加・付加が行われた一のユーザ３のユーザ作成情報追加・付加済物語パート情報と、第二のユーザ作成情報追加・付加済物語パート情報抽出・選択処理部１７ｂが選択・抽出した他のユーザ３のユーザ作成情報追加・付加済物語パート情報とを、前記あらかじめ定められている順序で並べて一のユーザ３が選択した前記一つのテーマの物語を構成して表示する処理を行う。
【０１００】
例えば、前記物語を４コマ漫画とした場合、第三の物語表示処理部１２ｃは、一のユーザ３がユーザ端末４を使用して前記４コマ漫画の複数のテーマの一覧情報の中から一つのテーマを選択した後、選択された前記一つのテーマの４コマ漫画を構成する各コマのうち、
・一コマ目については、第一のユーザ作成情報追加・付加済物語パート情報選択指示処理部１６ａが提示した複数の他のユーザ３のユーザ作成情報追加・付加済物語パート情報の中から一つを選択するように促す処理に基づいて、一のユーザ３が選択した他のユーザ３のユーザ作成情報追加・付加済物語パート情報を表示し、
・二コマ目については、第一のユーザ作成情報追加・付加指示処理部１８ａの前記ユーザ作成文字情報及び／又はユーザ作成図形情報を追加・付加するように促す処理に基づいて、セリフなどのユーザ作成文字情報が追加・付加された一のユーザ３のユーザ作成情報追加・付加済物語パート情報を表示し、
・三コマ目、四コマ目については、第二のユーザ作成情報追加・付加済物語パート情報抽出・選択処理部１７ｂが選択・抽出した他のユーザ３のユーザ作成情報追加・付加済物語パート情報を表示する
処理を行う。
【０１０１】
このように、一のユーザ３が選択した物語パートに対して当該一のユーザ３が選択した他のユーザ３のユーザ作成情報追加・付加済物語パート情報と、当該一のユーザ３がユーザ作成文字情報及び／又はユーザ作成図形情報を追加・付加したユーザ作成情報追加・付加済物語パート情報と、当該選択した物語パートに連続する前及び／又は後ろの複数の物語パートに対して他のユーザ３がそれぞれユーザ作成文字情報及び／又はユーザ作成図形情報を追加・付加した複数のユーザ作成情報追加・付加済物語パート情報からなる新たな一つの物語が作成される。
【０１０２】
作成された物語の各物語パートにユーザ作成文字情報及び／又はユーザ作成図形情報が追加・付加されたユーザ作成情報追加・付加済物語パート情報は、一のユーザ３及び他のユーザ３が前記一又は複数のサジェスチョン文字情報及び／又はサジェスチョン図形情報を参照して、種々のユーザ作成文字情報及び／又はユーザ作成図形情報を自由に発想して入力したものであるから、前記作成された物語のストーリーは、他のユーザ３のユーザ作成情報追加・付加済物語パート情報を選択した一のユーザ３が予想もしていなかった展開となる。
【０１０３】
そこで、この実施形態によっても、予期せぬ意外性をもったストーリー展開の物語を希望するユーザの要求に十分応えることが可能となる。
【０１０４】
［第４の実施形態］
この実施形態では、サーバ装置２は、第１の実施形態で説明した構成の他、第二のユーザ作成情報追加・付加済物語パート情報選択指示処理部１６ｂと、第二のユーザ作成情報追加・付加指示処理部１８ｂと、第四の物語表示処理部１２ｄと、を備えている（図２）。
【０１０５】
第二のユーザ作成情報追加・付加指示処理部１８ｂは、前記複数の物語パートの中の少なくとも一つの物語パートに対して、前記サジェスチョン文字情報及び／又はサジェスチョン図形情報を参照して前記ユーザ作成文字情報及び／又はユーザ作成図形情報を追加・付加するようにアクセスしてきた一のユーザ３のユーザ端末４に対して促す処理を行う。
【０１０６】
第二のユーザ作成情報追加・付加済物語パート情報選択指示処理部１６ｂは、前記ユーザ作成文字情報及び／又はユーザ作成図形情報の追加・付加が行われなかった前記複数の物語パートの中の他の全ての物語パートについて、ユーザ作成情報追加・付加済物語パート情報記憶部７ｄに記憶されている複数の他のユーザ３のユーザ作成情報追加・付加済物語パート情報を提示して、複数の他のユーザ３のユーザ作成情報追加・付加済物語パート情報の中から一つを選択するようにアクセスしてきた一のユーザ３のユーザ端末４に対して促す処理を行う。
【０１０７】
第四の物語表示処理部１２ｄは、一のユーザ３が選択した他のユーザ３のユーザ作成情報追加・付加済物語パート情報と、前記ユーザ作成文字情報及び／又はユーザ作成図形情報の追加・付加が行われた一のユーザ３のユーザ作成情報追加・付加済物語パート情報とを前記あらかじめ定められている順序で並べて一のユーザ３が選択した前記一つのテーマの物語を構成して表示する処理を行う。
【０１０８】
例えば、前記物語を４コマ漫画とした場合、第四の物語表示処理部１２ｄは、一のユーザ３がユーザ端末４を使用して前記４コマ漫画の複数のテーマの一覧情報の中から一つのテーマを選択した後、選択された前記一つのテーマの４コマ漫画を構成する各コマのうち、
・一コマ目については、第二のユーザ作成情報追加・付加指示処理部１８ｂの前記ユーザ作成文字情報及び／又はユーザ作成図形情報を追加・付加するように促す処理に基づいて、セリフなどのユーザ作成文字情報が追加・付加された一のユーザ３のユーザ作成情報追加・付加済物語パート情報を表示し、
・２コマ目〜４コマ目については、第二のユーザ作成情報追加・付加済物語パート情報選択指示処理部１６ｂが提示した複数のユーザ３のユーザ作成情報追加・付加済物語パート情報の中から一つを選択するように促す処理に基づいて、一のユーザ３が選択した他のユーザ３のユーザ作成情報追加・付加済物語パート情報を表示する
処理を行う。
【０１０９】
このように、一のユーザ３が選択した物語パートに対して当該一のユーザ３が選択した他のユーザ３のユーザ作成情報追加・付加済物語パート情報と、当該一のユーザ３が追加・付加したユーザ作成情報追加・付加済物語パート情報からなる新たな一つの物語が作成される。
【０１１０】
作成された物語の各物語パートにユーザ作成文字情報及び／又はユーザ作成図形情報が追加・付加されたユーザ作成情報追加・付加済物語パート情報は、一のユーザ３及び他のユーザ３が前記一又は複数のサジェスチョン文字情報及び／又はサジェスチョン図形情報を参照して、種々のユーザ作成文字情報及び／又はユーザ作成図形情報を自由に発想して入力したものであるから、前記作成された物語のストーリーは、他のユーザ３のユーザ作成情報追加・付加済物語パート情報を選択した一のユーザ３が予想もしていなかった展開となる。
【０１１１】
そこで、この実施形態によっても、予期せぬ意外性をもったストーリー展開の物語を希望するユーザの要求に十分応えることが可能となる。
【０１１２】
なお、第二のユーザ作成情報追加・付加指示処理部１８ｂは、前記複数の物語パートに対してユーザ作成文字情報及び／又はユーザ作成図形情報を追加・付加するようにアクセスしてきたユーザ端末４に対して促す処理を行うこともできる。
【０１１３】
この場合、一のユーザ３が選択した複数の物語パートそれぞれに対して当該一のユーザ３が選択した他のユーザ３のユーザ作成情報追加・付加済物語パート情報と、当該一のユーザ３がユーザ作成文字情報及び／又はユーザ作成図形情報を追加・付加したユーザ作成情報追加・付加済物語パート情報からなる新たな一つの物語が作成される。
【０１１４】
［第５の実施形態］
この実施形態では、サーバ装置２は、第１の実施形態で説明した構成の他、第三のユーザ作成情報追加・付加済物語パート情報選択指示処理部１６ｃと、第五の物語表示処理部１２ｅと、を備えている（図２）。
【０１１５】
第三のユーザ作成情報追加・付加済物語パート情報選択指示処理部１６ｃは、アクセスしてきた一のユーザ３が使用するユーザ端末４に対して、選択された前記一つのテーマの物語を構成する前記複数の物語パートそれぞれについて、ユーザ作成情報追加・付加済物語パート情報記憶部７ｄに記憶されている複数の他のユーザ３のユーザ作成情報追加・付加済物語パート情報を提示して、複数の他のユーザ３のユーザ作成情報追加・付加済物語パート情報の中から一つを選択するように促す処理を行う。
【０１１６】
第五の物語表示処理部１２ｅは、一のユーザ３が選択した前記各物語パートについての他のユーザ３のユーザ作成情報追加・付加済物語パート情報を前記あらかじめ定められている順序で並べて一のユーザ３が選択した前記一つのテーマの物語を構成して表示する処理を行う。
【０１１７】
例えば、前記物語を４コマ漫画とした場合、第五の物語表示処理部１２ｅは、一のユーザ３がユーザ端末４を使用して前記４コマ漫画の複数のテーマの一覧情報の中から一つのテーマを選択した後、選択された前記一つのテーマの４コマ漫画を構成する各コマのうち、
・一コマ目〜四コマ目それぞれについて、第三のユーザ作成情報追加・付加済物語パート情報選択指示処理部１６ｃが提示した複数の他のユーザ３のユーザ作成情報追加・付加済物語パート情報の中から一つを選択するように促す処理に基づいて一のユーザ３が選択した他のユーザ３のユーザ作成情報追加・付加済物語パート情報を表示する
処理を行う。
【０１１８】
このように、一のユーザ３が選択した各物語パートに対して当該一のユーザ３が選択した他のユーザ３のユーザ作成情報追加・付加済物語パート情報からなる新たな一つの物語が作成される。
【０１１９】
作成された物語の各物語パートにユーザ作成文字情報及び／又はユーザ作成図形情報が追加・付加されたユーザ作成情報追加・付加済物語パート情報は、他のユーザ３が前記一又は複数のサジェスチョン文字情報及び／又はサジェスチョン図形情報を参照して、種々のユーザ作成文字情報及び／又はユーザ作成図形情報を自由に発想して入力したものであるから、前記作成された物語のストーリーは、他のユーザ３のユーザ作成情報追加・付加済物語パート情報を選択した一のユーザ３が予想もしていなかった展開となる。
【０１２０】
そこで、この実施形態によっても、予期せぬ意外性をもったストーリー展開の物語を希望するユーザの要求に十分応えることが可能となる。
【０１２１】
［第６の実施形態］
この実施形態では、第一の物語表示処理部１２ａは、一のユーザ３のユーザ作成情報追加・付加済物語パート情報を取得した際に、一のユーザ３が選択した物語テーマ及び物語パート、一のユーザ３のユーザ作成情報追加・付加済物語パート情報に含まれる前記ユーザ作成文字情報及び／又はユーザ作成図形情報の属性を分析し、一のユーザ３が選択した物語パートに連続する前及び／又は後ろの物語パートについてユーザ作成情報追加・付加済物語パート情報記憶部７ｄに記憶されている複数の他のユーザ３のユーザ作成情報追加・付加済物語パート情報の中から、前記属性を分析した物語テーマ及び物語パート、一のユーザ３のユーザ作成情報追加・付加済物語パート情報に含まれる前記ユーザ作成文字情報及び／又はユーザ作成図形情報と異なる属性を有する一つの他のユーザ３のユーザ作成情報追加・付加済物語パート情報を選択・抽出する処理を行う。
【０１２２】
前記選択した物語テーマ及び物語パート、一のユーザ３のユーザ作成情報追加・付加済物語パート情報に含まれる前記ユーザ作成文字情報及び／又はユーザ作成図形情報の属性は、第一の物語表示処理部１２ａの分析処理によって、前記物語又はテーマのジャンル等、様々な属性に分類される。
【０１２３】
分析された前記属性はユーザ情報記憶部７ａに記憶される（非図示）。また、分析されるごとに前記属性は更新される。
【０１２４】
第一の物語表示処理部１２ａは、ユーザ情報記憶部７ａに記憶されているユーザ３ごとに分析され、分類されている前記選択した物語テーマ及び物語パート、一のユーザ３のユーザ作成情報追加・付加済物語パート情報に含まれる前記ユーザ作成文字情報及び／又はユーザ作成図形情報の過去の属性に基づいて、新たに一のユーザ３のユーザ作成情報追加・付加済物語パート情報を取得した際に、前記選択した物語テーマ及び物語パート、一のユーザ３のユーザ作成情報追加・付加済物語パート情報に含まれる前記ユーザ作成文字情報及び／又はユーザ作成図形情報の属性を分析する。
【０１２５】
または、第一の物語表示処理部１２ａは、ユーザ情報記憶部７ａに記憶されている前記過去の属性を使用せず、一のユーザ３のユーザ作成情報追加・付加済物語パート情報を取得するごとに、前記選択した物語テーマ及び物語パート、一のユーザ３のユーザ作成情報追加・付加済物語パート情報に含まれる前記ユーザ作成文字情報及び／又はユーザ作成図形情報の属性を新たに分析する。
【０１２６】
例えば、前記物語を４コマ漫画とし、ユーザ３が一コマ目に対してユーザ作成文字情報及び／又はユーザ作成図形情報を入力した場合、第一の物語表示処理部１２ａは、ユーザ情報記憶部７ａに記憶され、分類されている前記漫画又はテーマのジャンル等の過去の属性を基に、前記選択した物語テーマ及び前記一コマ目、前記一コマ目のユーザ作成情報追加・付加済物語パート情報に含まれる前記ユーザ作成文字情報及び／又はユーザ作成図形情報の属性を分析する。
【０１２７】
または、第一の物語表示処理部１２ａは、ユーザ情報記憶部７ａに記憶されている前記過去の属性を使用せず、ユーザ３が一コマ目に対してユーザ作成文字情報及び／又はユーザ作成図形情報を入力した時点で、前記選択した物語テーマ及び前記一コマ目、前記一コマ目のユーザ作成情報追加・付加済物語パート情報に含まれる前記ユーザ作成文字情報及び／又はユーザ作成図形情報の属性を新たに分析する。
【０１２８】
第一の物語表示処理部１２ａは、二コマ目について図８図示のユーザ作成情報追加・付加済物語パート情報記憶部７ｄに記憶されている複数の他のユーザ３のユーザ作成情報追加・付加済物語パート情報の中から、前記分析した物語テーマ及び前記一コマ目、前記一コマ目のユーザ作成情報追加・付加済物語パート情報に含まれる前記ユーザ作成文字情報及び／又はユーザ作成図形情報とは異なる属性を有する他のユーザ３のユーザ作成情報追加・付加済物語パート情報を選択・抽出する。
【０１２９】
第一の物語表示処理部１２ａは、上記と同じ処理を行い、三コマ目、四コマ目について他のユーザ３のユーザ作成情報追加・付加済物語パート情報を選択・抽出する。
【０１３０】
そして、第一の物語表示処理部１２ａは、前記一コマ目に一のユーザ３のユーザ作成情報追加・付加済物語パート情報を表示し、前記二コマ目、三コマ目、四コマ目の順に前記選択・抽出した他のユーザ３のユーザ作成情報追加・付加済物語パート情報を表示する。
【０１３１】
また、例えば、前記物語を小説とし、ユーザ３が一ページ目に対してユーザ作成文字情報及び／又はユーザ作成図形情報を入力した場合、第一の物語表示処理部１２ａは、ユーザ情報記憶部７ａに記憶され、分類されている前記小説又はテーマのジャンル等の過去の属性を基に、前記選択した物語テーマ及び前記一ページ目、前記一ページ目のユーザ作成情報追加・付加済物語パート情報に含まれる前記ユーザ作成文字情報及び／又はユーザ作成図形情報の属性を分析する。
【０１３２】
または、第一の物語表示処理部１２ａは、ユーザ情報記憶部７ａに記憶されている前記過去の属性を使用せず、ユーザ３が一ページ目に対してユーザ作成文字情報及び／又はユーザ作成図形情報を入力した時点で、前記選択した物語テーマ及び前記一ページ目、前記一ページ目のユーザ作成情報追加・付加済物語パート情報に含まれる前記ユーザ作成文字情報及び／又はユーザ作成図形情報の属性を新たに分析する。
【０１３３】
第一の物語表示処理部１２ａは、二ページ目について図９図示のユーザ作成情報追加・付加済物語パート情報記憶部７ｄに記憶されている複数の他のユーザ３のユーザ作成情報追加・付加済物語パート情報の中から、前記分析した物語テーマ及び前記一ページ目、前記一ページ目のユーザ作成情報追加・付加済物語パート情報に含まれる前記ユーザ作成文字情報及び／又はユーザ作成図形情報とは異なる属性を有する他のユーザ３のユーザ作成情報追加・付加済物語パート情報を選択・抽出する。
【０１３４】
第一の物語表示処理部１２ａは、上記と同じ処理を行い、三ページ目及び四ページ目について他のユーザ３のユーザ作成情報追加・付加済物語パート情報を選択・抽出する。
【０１３５】
そして、第一の物語表示処理部１２ａは、前記一ページ目に一のユーザ３のユーザ作成情報追加・付加済物語パート情報を表示し、前記二ページ目、三ページ目、四ページ目の順に前記選択・抽出した他のユーザ３のユーザ作成情報追加・付加済物語パート情報を表示する。
【０１３６】
このように、一のユーザ３が選択した物語パートと、当該選択した物語パートに連続する前及び／又は後ろの複数の物語パートとが互いに属性が異なる新たな一つの物語が作成される。
【０１３７】
作成された物語の各物語パートにユーザ作成文字情報及び／又はユーザ作成図形情報が追加・付加されたユーザ作成情報追加・付加済物語パート情報は、一のユーザ３及び他のユーザ３が前記一又は複数のサジェスチョン文字情報及び／又はサジェスチョン図形情報を参照して、種々のユーザ作成文字情報及び／又はユーザ作成図形情報を自由に発想して入力したものであり、各物語パートは互いに属性が異なるものであるから、前記作成された物語のストーリーは、前記ユーザ作成文字情報及び／又はユーザ作成図形情報を自由に発想して入力した一のユーザ３が予想もしていなかった展開となる。
【０１３８】
そこで、この実施形態によっても、予期せぬ意外性をもったストーリー展開の物語を希望するユーザの要求に十分応えることが可能となる。
【０１３９】
［第７の実施形態］
この実施形態では、サーバ装置２は、第１の実施形態で説明した構成の他、言語種別判別部１３と、言語変換部１４と、を備えている（図２）。
【０１４０】
言語種別判別部１３は、前記各物語パートに対して前記サジェスチョン文字情報及び／又はサジェスチョン図形情報を参照して一のユーザ３が入力した前記ユーザ作成文字情報の言語と、前記選択・抽出された他のユーザ３のユーザ作成情報追加・付加済物語パート情報に含まれているユーザ作成ユーザ作成文字情報の言語の種別を判別する処理を行う。
【０１４１】
言語変換部１４は、前記選択・抽出された他のユーザ３のユーザ作成情報追加・付加済物語パート情報に含まれているユーザ作成文字情報の言語が、一のユーザ３が入力した前記ユーザ作成文字情報の言語と異なる場合、前記選択・抽出された他のユーザ３のユーザ作成情報追加・付加済物語パート情報に含まれているユーザ作成文字情報の言語を一のユーザ３が入力した前記ユーザ作成文字情報の言語に変換する処理を行う。
【０１４２】
例えば、言語種別判別部１３が、前記各物語パートに対して前記サジェスチョン文字情報及び／又はサジェスチョン図形情報を参照して一のユーザ３が入力したセリフなどのユーザ作成文字情報の言語を日本語と判別し、前記選択・抽出された他のユーザ３のユーザ作成情報追加・付加済物語パート情報に含まれているセリフなどのユーザ作成文字情報の言語の種別を英語と判別した場合、言語変換部１４は、前記ユーザ作成文字情報の言語（英語）を、前記各物語パートに対して前記サジェスチョン文字情報及び／又はサジェスチョン図形情報を参照して一のユーザ３が入力したセリフなどの前記ユーザ作成文字情報の言語（日本語）に変換する処理を行う。
【０１４３】
これにより、ユーザ端末４に設定されている言語環境に対応させて各パートのユーザ作成情報追加・付加済物語パート情報を表示することができる。
【０１４４】
また、ユーザ端末４に設定されている言語環境に対応させて各パートのユーザ作成情報追加・付加済物語パート情報を表示することができるので、前記選択・抽出された他のユーザ３のユーザ作成情報追加・付加済物語パート情報に含まれているセリフなどのユーザ作成文字情報の言語が、前記各物語パートに対して前記サジェスチョン文字情報及び／又はサジェスチョン図形情報を参照して一のユーザ３が入力したセリフなどのユーザ作成文字情報の言語に変換されることによっても、作成された物語のストーリーが、前記ユーザ作成文字情報及び／又はユーザ作成図形情報を自由に発想して入力した一のユーザ３が予想もしていなかった展開となる。
【０１４５】
［第８の実施形態］
この実施形態では、サーバ装置２は、第１〜第７の実施形態で説明した構成の他、評価項目情報作成・表示処理部１５を備えている（図２）。
【０１４６】
評価項目作成・表示処理部１５は、第１〜第７の実施形態で説明した動作処理によって作成された物語を評価するための評価項目情報を作成し、前記作成された評価項目情報を一のユーザ３がユーザ端末４を使用して選択した際に、当該評価項目情報をユーザ端末４の表示部に所定の軌跡で表示する処理を行う。
【０１４７】
あるいは、第１〜第７の実施形態で説明した動作処理によって作成され、記憶部７に記憶されている物語の一覧情報を一のユーザ３のユーザ端末４に送信し、当該一覧表の中から閲覧したい一つの物語が選択されると、評価項目作成・表示処理部１５は、前記選択された物語を評価するための評価項目情報を作成し、前記作成された評価項目情報を一のユーザ３がユーザ端末４を使用して選択した際に、当該評価項目情報をユーザ端末４の表示部に所定の軌跡で表示する処理を行う。
【０１４８】
図２３図示の例では、第１〜第７の実施形態で説明した動作処理によって作成された４コマ漫画を評価するための３種類の評価項目情報２９ａ、２９ｂ、２９ｃがユーザ端末４の表示部に表示されている。
【０１４９】
図２５図示の例では、記憶部７に記憶されている４コマ漫画の一覧情報の中から選択された４コマ漫画を評価するための２種類の評価項目情報２９ｄ、２９ｅがユーザ端末４の表示部に表示されている。
【０１５０】
評価項目作成・表示処理部１５は、一のユーザ３が選択した評価項目情報２９ａ、２９ｂ、２９ｃ、２９ｄ、２９ｅをユーザ端末４の表示部に所定の軌跡で表示する処理を行う。図２６図示の例では、複数回選択された評価項目情報２９ｄ、２９ｅはそれぞれ、ユーザ端末４の表示部の下方から前記４コマ漫画の四コマ目２４に向かって任意の角度で浮かび上がりながら移動し、重なって表示される。そして、四コマ目２４上に所定時間（例えば１秒）表示された後徐々に薄くなりながら消滅し、表示は終了する。
【０１５１】
図２６図示の形態では、選択された評価項目情報２９ｄ、２９ｅは閲覧したユーザ３の数に応じて蓄積されるので、評価項目情報２９ｄ、２９ｅの選択数が多いほど、当該４コマ漫画はストーリー展開の意外性がある漫画として図２４に示す４コマ漫画の一覧情報の上位に表示されやすくなる。
【０１５２】
［本発明の処理フロー］
図１２〜図２６を参照して本発明の処理フローを説明する。図示の処理フローでは、作成される物語の例を４コマ漫画としている。
【０１５３】
［処理フロー１］
一のユーザ３はユーザ端末４を使用して本発明に係る物語作成サービスの提供を受けるためのアプリケーションプログラム又はウェブブラウザを起動する（Ｓ１０１）。
【０１５４】
テーマ選択指示処理部８は、物語テーマ情報記憶部７ｂに記憶されている４コマ漫画の複数のテーマの一覧情報をユーザ端末４へ送信し、当該複数のテーマの一覧表の中から一つのテーマを選択するように促す処理を行う（Ｓ１０２）。
【０１５５】
一のユーザ３は、ユーザ端末４を使用して前記４コマ漫画の複数のテーマの一覧情報の中から一つのテーマを選択する（Ｓ１０３）。
【０１５６】
物語パート選択指示処理部９は、図１４図示のように、当該選択された一つのテーマ２０の４コマ漫画を構成する４コマの各コマ（一コマ目２１、二コマ目２２、三コマ目２３、四コマ目２４）をユーザ端末４に送信し、図１５図示のように、各コマの中から、一のユーザ３がユーザ作成文字情報及び／又はユーザ作成図形情報の入力を行うことを希望する一つのコマを選択するように促す処理を行う（Ｓ１０４）。
【０１５７】
一のユーザ３は、ユーザ端末４を使用して、例えば前記各コマの中からユーザ作成文字情報及び／又はユーザ作成図形情報の入力を行うことを希望する一コマ目２１を選択する（Ｓ１０５）。
【０１５８】
一のユーザ３は、ユーザ端末４を使用して、図１６、図１７図示のように、選択した一コマ目２１に対して、表示されているサジェスチョン図形情報である漫画の図柄パターン２１ａを参照して種々のセリフを自由に発想して入力する（Ｓ１０６）。入力された前記セリフは、図１８図示のように一コマ目２１に追加される。
【０１５９】
また、選択した一コマ目２１に複数のサジェスチョン文字情報及び／又はサジェスチョン図形情報が含まれている場合、サジェスチョン情報選択指示処理部１０が、物語パート選択指示処理部９の指示に基づいて一のユーザ３が選択したコマに含まれている前記複数のサジェスチョン文字情報及び／又はサジェスチョン図形情報の中から、一のユーザ３が選択したコマに対してユーザ作成文字情報及び／又はユーザ作成図形情報を追加・付加する際の発想の契機とするべく参照する一つのサジェスチョン文字情報及び／又はサジェスチョン図形情報を選択するようにアクセスしてきたユーザ端末４に対して促す処理を行う。
【０１６０】
例えば、ユーザ３は、図１５に図示されている前記４コマ漫画を構成する各コマの中から四コマ目２４を選択し、図１９図示のように当該四コマ目２４に対して、表示されている複数の前記漫画の図柄パターン２５ａ、２５ｂ、２５ｃ、２５ｄ、２５ｅの中から表情パターン２５ｂを選択する（Ｓ１０６）。
【０１６１】
選択された前記漫画の図柄パターン２５ｂは、図２０図示のように選択された四コマ目２４に表示される。
【０１６２】
一のユーザ３は、ユーザ端末４を使用して、前記セリフの入力及び／又は前記漫画の図柄パターンを選択後、前記４コマ漫画の作成をサーバ装置２に対して要求する（Ｓ１０７）。
【０１６３】
ユーザ作成情報追加・付加済物語パート情報登録処理部１１は、ユーザ端末４から前記入力されたセリフ及び／又は選択された前記漫画の図柄パターンを取得した際に、これらの情報をユーザ作成情報追加・付加済物語パート情報記憶部７ｄに記憶する処理を行う（Ｓ１０８）。
【０１６４】
第一の物語表示処理部１２ａは、一のユーザ３が選択した一コマ目２１に連続する二コマ目２２、三コマ目２３、四コマ目２４について図８（ａ）図示のユーザ作成情報追加・付加済物語パート情報記憶部７ｄにそれぞれ記憶されている複数の他のユーザ３のユーザ作成情報追加・付加済物語パート情報の中から一つのユーザ作成情報追加・付加済物語パート情報を任意に選択・抽出する（Ｓ１０８）。
【０１６５】
図２２は、第一の物語表示処理部１２ａが、一のユーザ３が選択した一コマ目２１に連続する二コマ目２２、三コマ目２３、四コマ目２４について図８（ａ）図示のユーザ作成情報追加・付加済物語パート情報記憶部７ｄに記憶されている複数の他のユーザ３のユーザ作成情報追加・付加済物語パート情報の中から一つのユーザ作成情報追加・付加済物語パート情報を任意に選択・抽出している状態を表している。
【０１６６】
第一の物語表示処理部１２ａは、図２３図示のように、二コマ目２２、三コマ目２３、四コマ目２４に前記選択・抽出した他のユーザ３のユーザ作成情報追加・付加済物語パート情報を表示し、一のユーザ３が選択した一コマ目２１に当該一のユーザ３が入力した前記セリフが追加・付加されたユーザ作成情報追加・付加済物語パート情報を表示する（Ｓ１１０、Ｓ１１１）。
【０１６７】
また、第一の物語表示処理部１２ａは、前記選択・抽出した二コマ目２２、三コマ目２３、四コマ目２４のセリフについてのユーザ作成情報追加・付加済物語パート情報に関連付けられている図３図示のユーザ３のニックネームや国籍を表す図形をユーザ端末４に送信し、一コマ目２１のユーザ作成情報追加・付加済物語パート情報に関連付けられている図３図示のユーザ３のニックネームや国籍を表す図形をユーザ端末４に送信する。図２３図示の例では、ユーザ３のニックネーム２８ａ、２８ｂ、２８ｃ、２８ｄのみが表示されている。
【０１６８】
［処理フロー２］
図１２図示のＳ１０８の処理の後、言語種別判別部１３は、一コマ目２１に対して前記漫画の図柄パターンを参照して一のユーザ３が入力した前記セリフの言語と、二コマ目２２、三コマ目２３、四コマ目２４についてそれぞれ前記選択・抽出された他のユーザ３のユーザ作成情報追加・付加済物語パート情報に含まれているセリフの言語の種別を判別する処理を行う（Ｓ１１２）。
【０１６９】
一コマ目２１に対して一のユーザ３が入力した前記セリフの言語と、二コマ目２２、三コマ目２３、四コマ目２４についてそれぞれ前記選択・抽出された他のユーザ３のユーザ作成情報追加・付加済物語パート情報に含まれているセリフの言語の種別が同一の場合、第一の物語表示処理部１２ａは、二コマ目２２、三コマ目２３、四コマ目２４に前記選択・抽出した他のユーザ３のユーザ作成情報追加・付加済物語パート情報を表示し、一のユーザ３が選択した一コマ目２１に当該一のユーザ３が入力した前記セリフが追加・付加されているユーザ作成情報追加・付加済物語パート情報を表示する（Ｓ１１０、Ｓ１１１）。
【０１７０】
一コマ目２１に対して一のユーザ３が入力した前記セリフの言語と、二コマ目２２、三コマ目２３、四コマ目２４についてそれぞれ前記選択・抽出された他のユーザ３のユーザ作成情報追加・付加済物語パート情報に含まれているセリフの言語の種別が異なる場合、言語変換部１４は、言語の種別が異なる前記選択・抽出された他のユーザ３のユーザ作成情報追加・付加済物語パート情報に含まれているセリフの言語を、一コマ目２１に対して前記漫画の図柄パターンを参照して一のユーザ３が入力したセリフの言語に変換する処理を行う（Ｓ１１３）。
【０１７１】
そして、第一の物語表示処理部１２ａは、一のユーザ３が選択した一コマ目２１に当該一のユーザ３が入力した前記セリフが追加・付加されたユーザ作成情報追加・付加済物語パート情報を表示し、二コマ目２２、三コマ目２３、四コマ目２４に前記選択・抽出した他のユーザ３のユーザ作成情報追加・付加済物語パート情報を、その言語が一コマ目２１に一のユーザ３が入力した前記セリフの言語に変換した状態で表示する（Ｓ１１０、Ｓ１１１）。
【０１７２】
［処理フロー３］
図１２図示のＳ１１０において、評価項目情報作成・表示処理部１５は、例えば、図２３、図２５図示のような評価項目情報２９ａ、２９ｂ、２９ｃ、２９ｄ、２９ｅを作成し、ユーザ端末４に送信する処理を行う。
【０１７３】
一のユーザ３は、各物語パートに追加・付加されたユーザ作成情報追加・付加済物語パート情報からなる物語を評価し、評価項目情報２９ａ、２９ｂ、２９ｃ、２９ｄ、２９ｅの中から一つの評価項目情報を選択する（Ｓ１１４）。
【０１７４】
評価項目作成・表示処理部１５は、一のユーザ３が選択した評価項目情報をユーザ端末４の表示部に所定の軌跡で表示する処理を行う。図２６図示の例では、複数回選択された評価項目情報２９ｄ、２９ｅはそれぞれ、ユーザ端末４の表示部の下方から前記４コマ漫画の四コマ目２４に向かって任意の角度で浮かび上がりながら移動し、重なって表示される。そして、四コマ目２４上に所定時間（例えば１秒）表示された後徐々に薄くなりながら消滅し、表示は終了する。
【０１７５】
このように、各処理フローによって作成された物語の各物語パートにユーザ作成文字情報及び／又はユーザ作成図形情報が追加・付加されたユーザ作成情報追加・付加済物語パート情報は、異なるユーザ３が前記一又は複数のサジェスチョン文字情報及び／又はサジェスチョン図形情報を参照して、種々のユーザ作成文字情報及び／又はユーザ作成図形情報を自由に発想して入力したものであるから、前記作成された物語のストーリーは、物語の作成を要求した一のユーザ３が予想もしていなかった展開となる。
【０１７６】
そこで、この発明によれば、予期せぬ意外性をもったストーリー展開の物語を希望するユーザの要求に十分応えることが可能となる。
【０１７７】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【０１７８】
１      物語作成システム
２      サーバ装置
３（３ａ、３ｂ、・・・３ｎ）  ユーザ
４（４ａ、４ｂ、・・・４ｎ）  ユーザ端末
５      通信ネットワーク
６      情報送受信部
７      記憶部
７ａ    ユーザ情報記憶部
７ｂ    物語テーマ情報記憶部
７ｃ    物語パート情報記憶部
７ｄ    ユーザ作成情報追加・付加済物語パート情報記憶部
８      テーマ選択指示処理部
９      物語パート選択指示処理部
１０    サジェスチョン情報選択指示処理部
１１    ユーザ作成情報追加・付加済物語パート情報登録処理部
１２    物語表示処理部
１２ａ  第一の物語表示処理部
１２ｂ  第二の物語表示処理部
１２ｃ  第三の物語表示処理部
１２ｄ  第四の物語表示処理部
１２ｅ  第五の物語表示処理部
１３    言語種別判別部
１４    言語変換部
１５    評価項目情報作成・表示処理部
１６    ユーザ作成情報追加・付加済物語パート情報選択指示処理部
１６ａ  第一のユーザ作成情報追加・付加済物語パート情報選択指示処理部
１６ｂ  第二のユーザ作成情報追加・付加済物語パート情報選択指示処理部
１６ｃ  第三のユーザ作成情報追加・付加済物語パート情報選択指示処理部
１７    ユーザ作成情報追加・付加済物語パート情報抽出・選択処理部
１７ａ  第一のユーザ作成情報追加・付加済物語パート情報抽出・選択処理部
１７ｂ  第二のユーザ作成情報追加・付加済物語パート情報抽出・選択処理部
１８    ユーザ作成情報追加・付加指示処理部
１８ａ  第一のユーザ作成情報追加・付加指示処理部
１８ｂ  第二のユーザ作成情報追加・付加指示処理部
１９    制御部
２０    テーマ
２１、２２、２３、２４、２６  ４コマ漫画の各コマ
２５ａ、２５ｂ、２５ｃ、２５ｄ  漫画の図柄パターン
２７ａ、２７ｂ、２７ｃ  漫画の図柄パターン
２８ａ、・・・、２８ｈ  ニックネーム
２９ａ、・・・、２９ｅ  評価項目情報
【図１】
0006628312.tif 000002
【図２】
0006628312.tif 000003
【図３】
0006628312.tif 000004
【図４】
0006628312.tif 000005
【図５】
0006628312.tif 000006
【図６】
0006628312.tif 000007
【図７】
0006628312.tif 000008
【図８】
0006628312.tif 000009
【図９】
0006628312.tif 000010
【図１０】
0006628312.tif 000011
【図１１】
0006628312.tif 000012
【図１２】
0006628312.tif 000013
【図１３】
0006628312.tif 000014
【図１４】
0006628312.tif 000015
【図１５】
0006628312.tif 000016
【図１６】
0006628312.tif 000017
【図１７】
0006628312.tif 000018
【図１８】
0006628312.tif 000019
【図１９】
0006628312.tif 000020
【図２０】
0006628312.tif 000021
【図２１】
0006628312.tif 000022
【図２２】
0006628312.tif 000023
【図２３】
0006628312.tif 000024
【図２４】
0006628312.tif 000025
【図２５】
0006628312.tif 000026
【図２６】
0006628312.tif 000027